(57)【要約】      （修正有）【課題】ディスプレイパネルに対するユーザのタッチをセンシングする機能と外部から照射される光をセンシングする機能を効率よく具現することができる駆動回路、ディスプレイパネル、および装置を提供する。【解決手段】ディスプレイ装置において、フォトセンサーＰＳは、分離されて配置された共通電極の各々と電気的に連結されたリードアウトラインＲＯＬを通じて共通電極ＣＯＭと対応する領域に配置されたフォトトランジスタＰＨＴの出力信号Ｖｓを検出することによって、共用化されたリードアウトラインを通じてタッチセンシングとフォトセンシングを遂行する。また、フォトトランジスタが共通電極と連結されてリードアウトラインと電気的に連結されるようにすることによって、非開口部の増加を最小化し、１つのリードアウトラインを通じて検出されるフォトトランジスタの出力信号のサイズを増加させてフォトセンシングの性能を向上させる。【選択図】図５
2020109633.tif 000002
【特許請求の範囲】
【請求項１】
多数の共通電極と、
前記多数の共通電極の各々と対応する領域に２つ以上配置された多数のフォトトランジスタと、
前記多数のフォトトランジスタのうち、少なくとも１つのフォトトランジスタのゲート電極と電気的に連結された多数のフォト制御ラインと、
前記多数のフォトトランジスタのうち、少なくとも１つのフォトトランジスタの第１電極と電気的に連結された多数のフォト駆動ラインと、
前記多数の共通電極のうちの１つの共通電極と電気的に連結され、前記電気的に連結された共通電極と対応する領域に配置された全てのフォトトランジスタの第２電極と電気的に連結された多数のリードアウトラインとを含む、ディスプレイパネル。
【請求項２】
前記共通電極と対応する領域に配置された全てのフォトトランジスタのうち、少なくとも１つのフォトトランジスタの第２電極は前記共通電極と連結されて前記リードアウトラインと電気的に連結される、請求項１に記載のディスプレイパネル。
【請求項３】
前記共通電極と対応する領域に配置された全てのフォトトランジスタのうち、少なくとも１つのフォトトランジスタの第２電極は前記フォト制御ライン及び前記フォト駆動ラインのうち、少なくとも１つと同一な方向に配置された連結ラインと連結されて前記リードアウトラインと電気的に連結された、請求項１に記載のディスプレイパネル。
【請求項４】
前記共通電極と対応する領域に配置された全てのフォトトランジスタのうち、少なくとも１つのフォトトランジスタの第２電極は前記リードアウトラインと直接連結される、請求項１に記載のディスプレイパネル。
【請求項５】
前記フォト駆動ラインと前記フォトトランジスタの第１電極は前記フォト駆動ラインと異なる層に配置された連結パターンにより電気的に連結された、請求項１に記載のディスプレイパネル。
【請求項６】
前記多数のリードアウトラインのうち、２つのリードアウトラインの間毎に１つずつ配置された多数のデータラインをさらに含み、
前記連結パターンの一部分は前記データラインの一部分と重畳した、請求項５に記載のディスプレイパネル。
【請求項７】
前記多数の共通電極の各々と対応する領域に２つ以上配置された多数の駆動トランジスタをさらに含み、
前記駆動トランジスタのアクティブ層は前記駆動トランジスタのゲート電極の上部または下部に位置し、前記フォトトランジスタのアクティブ層は前記フォトトランジスタのゲート電極の下部または上部に位置する、請求項１に記載のディスプレイパネル。
【請求項８】
前記フォトトランジスタの第１電極と第２電極は、前記フォトトランジスタのアクティブ層とゲート電極との間に配置された、請求項７に記載のディスプレイパネル。
【請求項９】
前記駆動トランジスタのゲート電極の下部に配置され、前記フォトトランジスタのアクティブ層と同一な物質からなる半導体物質層をさらに含む、請求項７に記載のディスプレイパネル。
【請求項１０】
前記多数のリードアウトラインのうち、２つのリードアウトラインの間毎に１つずつ配置された多数のデータラインをさらに含み、
前記多数の共通電極の各々は互いに異なる層に配置されたメイン共通電極と補助共通電極からなり、
前記メイン共通電極の一部分は前記データラインの一部分と重畳し、前記補助共通電極は前記データラインが配置された領域を除外した領域に配置された、請求項１に記載のディスプレイパネル。
【請求項１１】
前記多数の共通電極のうち、少なくとも１つの共通電極にタッチ駆動信号が印加される期間の間、
前記多数のフォト制御ラインのうち、少なくとも１つのフォト制御ラインに前記タッチ駆動信号と対応するフォト制御信号が印加され、前記多数のフォト駆動ラインのうち、少なくとも１つのフォト駆動ラインに前記タッチ駆動信号と対応するフォト駆動信号が印加される、請求項１に記載のディスプレイパネル。
【請求項１２】
前記フォト制御信号及び前記フォト駆動信号の各々は前記タッチ駆動信号の位相及び振幅と同一な位相及び振幅を有し、前記タッチ駆動信号の電圧レベルと相異する電圧レベルを有する、請求項１１に記載のディスプレイパネル。
【請求項１３】
前記フォト制御信号は、前記フォトトランジスタをターン−オフさせるレベルの信号である、請求項１１に記載のディスプレイパネル。
【請求項１４】
多数の共通電極と、
前記多数の共通電極の各々と対応する領域に２つ以上配置され、データラインとピクセル電極との間に電気的に連結された多数の駆動トランジスタと、
前記多数の共通電極の各々と対応する領域に２つ以上配置され、フォト駆動ラインとリードアウトラインとの間に電気的に連結された多数のフォトトランジスタを含み、
前記多数のフォトトランジスタのうちの１つの共通電極と対応する領域に配置された全てのフォトトランジスタは前記１つの共通電極と電気的に連結されたリードアウトラインと電気的に連結された、ディスプレイパネル。
【請求項１５】
前記１つの共通電極と対応する領域に配置された全てのフォトトランジスタのうち、少なくとも１つのフォトトランジスタは前記１つの共通電極と連結されて前記リードアウトラインと電気的に連結された、請求項１４に記載のディスプレイパネル。
【請求項１６】
前記多数の駆動トランジスタのうち、少なくとも１つの駆動トランジスタのゲート電極にターン−オンレベルのスキャン信号が印加される期間に前記多数のフォトトランジスタのゲート電極にターン−オフレベルの定電圧が印加され、
前記多数の駆動トランジスタのゲート電極にターン−オフレベルの第１パルス信号が印加される期間に前記多数のフォトトランジスタのゲート電極に前記第１パルス信号と対応するターン−オフレベルの第２パルス信号が印加される、請求項１４に記載のディスプレイパネル。
【請求項１７】
前記第１パルス信号と前記第２パルス信号は同一な信号である、請求項１６に記載のディスプレイパネル。
【請求項１８】
前記第１パルス信号と前記第２パルス信号は前記共通電極に印加されるタッチ駆動信号と対応する信号である、請求項１６に記載のディスプレイパネル。
【請求項１９】
多数の共通電極が配置されたディスプレイパネルと、
前記多数の共通電極の各々と対応する領域に２つ以上配置された多数のフォトトランジスタと、
前記多数のフォトトランジスタのうち、少なくとも１つのフォトトランジスタのゲート電極と電気的に連結された多数のフォト制御ラインと、
前記多数のフォトトランジスタのうち、少なくとも１つのフォトトランジスタの第１電極と電気的に連結された多数のフォト駆動ラインと、
前記多数の共通電極のうち、１つの共通電極と電気的に連結され、前記電気的に連結された共通電極と対応する領域に配置された全てのフォトトランジスタの第２電極と電気的に連結された多数のリードアウトラインとを含む、ディスプレイ装置。
【請求項２０】
ディスプレイパネルに配置された多数のタッチラインにタッチ駆動信号を出力するマルチセンシング回路と、
前記マルチセンシング回路が前記タッチ駆動信号を出力する期間中、少なくとも一部の期間に前記ディスプレイパネルに配置された多数のフォト制御ラインに前記タッチ駆動信号と位相及び振幅が同一であり、電圧レベルが相異するフォト制御信号を出力し、前記ディスプレイパネルに配置された多数のフォト駆動ラインに前記タッチ駆動信号と位相及び振幅が同一であり、電圧レベルが相異するフォト駆動信号を出力するフォト駆動回路と、を含む、駆動回路。
【発明の詳細な説明】
【技術分野】
【０００１】
本発明は、駆動回路、ディスプレイパネル、及びディスプレイ装置に関するものである。
【背景技術】
【０００２】
情報化社会が発展するにつれて、画像を表示するディスプレイ装置に対する要求が増加しており、液晶ディスプレイ装置、有機発光ディスプレイ装置などの多様な類型のディスプレイ装置が活用されている。
【０００３】
このようなディスプレイ装置はユーザに一層多様な機能を提供するために、ディスプレイパネルに対するユーザのタッチや外部光を認識し、認識されたタッチなどに基づいて入力処理を遂行する機能を提供している。
【０００４】
しかしながら、ディスプレイパネルにはディスプレイ駆動のための各種の電極や信号ラインなどが配置されているので、ディスプレイパネルの性能を維持し、タッチや外部光の認識機能を具現し難いという問題が存在する。
【発明の概要】
【発明が解決しようとする課題】
【０００５】
本発明の目的は、ディスプレイパネルに対するユーザのタッチをセンシングする機能と外部から照射される光をセンシングする機能を効率よく具現することができる駆動回路、ディスプレイパネル、及び装置を提供することにある。
【０００６】
本発明の目的は、ディスプレイパネルの外部から照射される光をセンシングする性能を向上させ、かつディスプレイパネルのアクティブ領域で非開口部の比率を減少させることができるディスプレイパネル及び装置を提供することにある。
【０００７】
本発明の目的は、ディスプレイパネルが映像を表示する方向によって外部から照射される光をセンシングする性能を改善することができるディスプレイパネル及び装置を提供することにある。
【課題を解決するための手段】
【０００８】
一態様において、本発明の実施形態は、多数の共通電極と、多数の共通電極の各々と対応する領域に２つ以上配置された多数のフォトトランジスタと、多数のフォトトランジスタのうち、少なくとも１つのフォトトランジスタのゲート電極と電気的に連結された多数のフォト制御ラインと、多数のフォトトランジスタのうち、少なくとも１つのフォトトランジスタの第１電極と電気的に連結された多数のフォト駆動ラインと、多数の共通電極のうち、１つの共通電極と電気的に連結され、電気的に連結された共通電極と対応する領域に配置された全てのフォトトランジスタの第２電極と電気的に連結された多数のリードアウトラインを含むディスプレイパネルを提供する。
【０００９】
このようなディスプレイパネルで、共通電極と対応する領域に配置された全てのフォトトランジスタのうち、少なくとも１つのフォトトランジスタの第２電極は共通電極と連結されてリードアウトラインと電気的に連結できる。
【００１０】
または、共通電極と対応する領域に配置された全てのフォトトランジスタのうち、少なくとも１つのフォトトランジスタの第２電極はフォト制御ライン及びフォト駆動ラインのうち、少なくとも１つと同一な方向に配置された連結ラインと連結されてリードアウトラインと電気的に連結されることもできる。
【００１１】
また、共通電極と対応する領域に配置された全てのフォトトランジスタのうち、少なくとも１つのフォトトランジスタの第２電極はリードアウトラインと直接連結できる。
【００１２】
このようなディスプレイパネルは、多数の共通電極の各々と対応する領域に２つ以上配置された多数の駆動トランジスタをさらに含むことができ、駆動トランジスタのアクティブ層は駆動トランジスタのゲート電極の上部または下部に位置し、フォトトランジスタのアクティブ層はフォトトランジスタのゲート電極の下部または上部に位置することができる。
【００１３】
他の態様において、本発明の実施形態は、多数の共通電極と、多数の共通電極の各々と対応する領域に２つ以上配置され、データラインとピクセル電極との間に電気的に連結された多数の駆動トランジスタと、多数の共通電極の各々と対応する領域に２つ以上配置され、フォト駆動ラインとリードアウトラインとの間に電気的に連結された多数のフォトトランジスタを含み、多数のフォトトランジスタのうちの１つの共通電極と対応する領域に配置された全てのフォトトランジスタは１つの共通電極と電気的に連結されたリードアウトラインと電気的に連結されたディスプレイパネルを提供する。
【００１４】
このようなディスプレイパネルで、多数の駆動トランジスタのうち、少なくとも１つの駆動トランジスタのゲート電極にターン−オンレベルのスキャン信号が印加される期間に多数のフォトトランジスタのゲート電極にターン−オフレベルの定電圧が印加できる。
【００１５】
そして、多数の駆動トランジスタのゲート電極にターン−オフレベルの第１パルス信号が印加される期間に多数のフォトトランジスタのゲート電極に第１パルス信号と対応するターン−オフレベルの第２パルス信号が印加できる。
【００１６】
ここで、第１パルス信号と第２パルス信号は共通電極に印加されるタッチ駆動信号と対応する信号でありうる。また、第１パルス信号と第２パルス信号は互いに同一な信号でありうる。
【００１７】
他の態様において、本発明の実施形態は、多数の共通電極が配置されたディスプレイパネルと、多数の共通電極の各々と対応する領域に２つ以上配置された多数のフォトトランジスタと、多数のフォトトランジスタのうち、少なくとも１つのフォトトランジスタのゲート電極と電気的に連結された多数のフォト制御ラインと、多数のフォトトランジスタのうち、少なくとも１つのフォトトランジスタの第１電極と電気的に連結された多数のフォト駆動ラインと、多数の共通電極のうち、１つの共通電極と電気的に連結され、電気的に連結された共通電極と対応する領域に配置された全てのフォトトランジスタの第２電極と電気的に連結された多数のリードアウトラインを含むディスプレイ装置を提供する。
【００１８】
他の態様において、本発明の実施形態は、ディスプレイパネルに配置された多数のタッチラインにタッチ駆動信号を出力するマルチセンシング回路と、マルチセンシング回路がタッチ駆動信号を出力する期間中、少なくとも一部の期間にディスプレイパネルに配置された多数のフォト制御ラインにタッチ駆動信号と位相及び振幅が同一で、電圧レベルが相異するフォト制御信号を出力し、ディスプレイパネルに配置された多数のフォト駆動ラインにタッチ駆動信号と位相及び振幅が同一で、電圧レベルが相異するフォト駆動信号を出力するフォト駆動回路を含む駆動回路を提供する。
【発明の効果】
【００１９】
本発明の実施形態によれば、ディスプレイパネルでタッチ電極に用いられる共通電極と電気的に連結されたリードアウトラインを通じて共通電極と対応する領域に配置されたフォトトランジスタの出力信号を検出することによって、ディスプレイパネルに配線を追加せず、タッチセンシングとフォトセンシングを遂行することができるようにする。
【００２０】
また、１つの共通電極と対応する領域に配置された全てのフォトトランジスタの出力信号を１つのリードアウトラインを通じて検出することによって、フォトトランジスタの出力信号のサイズを増加させてフォトセンシングの性能を向上させることができる。
【００２１】
また、１つの共通電極と対応する領域に配置されたフォトトランジスタのうち、少なくとも一部のフォトトランジスタは共通電極と連結されてリードアウトラインと電気的に連結されるようにすることによって、非開口部の比率を増加させず、かつフォトトランジスタがリードアウトラインに電気的に連結できるようにする。
【００２２】
また、ディスプレイパネルが映像を表示する方向によって、駆動トランジスタとフォトトランジスタの構造を相異するように形成することによって、外部光による駆動トランジスタのオフ電流を防止しながらフォトトランジスタのセンシング性能が改善できるようにする。
【図面の簡単な説明】
【００２３】
【図１】本発明の実施形態に従うディスプレイ装置のシステム構成図である。
【図２】本発明の実施形態に従うディスプレイパネルの基本マルチセンサー構成を示した図である。
【図３】本発明の実施形態に従うディスプレイパネルの基本構造を示した平面図である。
【図４】本発明の実施形態に従うディスプレイパネルの基本構造を示した平面図である。
【図５】本発明の実施形態に従うマルチセンシングシステムを示した図である。
【図６】本発明の実施形態に従うディスプレイ装置の光照射有無に従うフォトトランジスタの出力信号を示したグラフである。
【図７】本発明の実施形態に従うディスプレイ装置の駆動タイミングダイヤグラムである。
【図８】本発明の実施形態に従うディスプレイパネルに配置されたピクセルの回路構造の例示を示した図である。
【図９】本発明の実施形態に従うディスプレイパネルに配置されたピクセルの平面構造の例示を示した図である。
【図１０】本発明の実施形態に従うディスプレイパネルに配置されたピクセルの平面構造の他の例示を示した図である。
【図１１】本発明の実施形態に従うディスプレイパネルで互いに異なる共通電極と対応する領域に配置されたピクセルの平面構造の例示を示した図である。
【図１２ａ】本発明の実施形態に従うディスプレイパネルに配置されたフォトトランジスタの連結構造の断面を例示的に示した図である。
【図１２ｂ】本発明の実施形態に従うディスプレイパネルに配置されたフォトトランジスタの連結構造の断面を例示的に示した図である。
【図１３】本発明の実施形態に従うディスプレイパネルに配置された駆動トランジスタとフォトトランジスタの断面構造の例示を示した図である。
【図１４】本発明の実施形態に従うディスプレイパネルに配置された駆動トランジスタとフォトトランジスタの断面構造の他の例示を示した図である。
【図１５】図１４に図示した駆動トランジスタとフォトトランジスタを形成する工程の例示を示した図である。
【図１６】本発明の実施形態に従うディスプレイパネルに配置された駆動トランジスタとフォトトランジスタの断面構造の更に他の例示を示した図である。
【図１７】図１６に図示した駆動トランジスタとフォトトランジスタを形成する工程の例示を示した図である。
【図１８】本発明の実施形態に従うディスプレイパネルに配置された共通電極の構造の例示を示した図である。
【図１９】本発明の実施形態に従うディスプレイパネルに配置された共通電極の構造の他の例示を示した図である。
【図２０】本発明の実施形態に従うディスプレイパネルに配置された共通電極の構造の更に他の例示を示した図である。
【図２１】本発明の実施形態に従うディスプレイ装置が提供する多様な種類の光基盤入力環境を説明するための図である。
【図２２】本発明の実施形態に従うディスプレイ装置が提供する多様な種類の光基盤入力環境を説明するための図である。
【図２３】本発明の実施形態に従うディスプレイ装置が提供する多様な種類の光基盤入力環境を説明するための図である。
【図２４】本発明の実施形態に従うディスプレイ装置が提供する多様な種類の光基盤入力環境を説明するための図である。
【発明を実施するための形態】
【００２４】
以下、本発明の一部の実施形態を添付した図面を参照しつつ詳細に説明する。各図面の構成要素に参照符号を付加するに当たって、同一な構成要素に対してはたとえ他の図面上に表示されても、できる限り同一な符号を有することができる。また、本発明を説明するに当たって、関連した公知構成または機能に対する具体的な説明が本発明の要旨を曖昧にすることがあると判断される場合にはその詳細な説明は省略する。
【００２５】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により当該構成要素の本質や回順序または順序などが限定されない。ある構成要素が他の構成要素に“連結”、“結合”、または“接続”されると記載された場合、その構成要素はその他の構成要素に直接的に連結または接続できるが、各構成要素の間に他の構成要素が介在されるか、各構成要素が他の構成要素を通じて“連結”、“結合”、または“接続”されることもできると理解されるべきである。
【００２６】
図１は、本発明の実施形態に従うディスプレイ装置のシステム構成図である。図２は、本発明の実施形態に従うディスプレイパネルＤＩＳＰの基本マルチセンサー構成を示した図である。
【００２７】
図１を参照すると、本発明の実施形態に従うディスプレイ装置は基本的なディスプレイ機能の以外に、タッチセンシング機能及びフォトセンシング機能などを含むマルチセンシング機能を提供することができる。
【００２８】
ユーザが指やペンなどを通じてディスプレイパネルＤＩＳＰ上の地点（Ｐ１（Ｘ、Ｙ））を接触方式または非接触方式によりタッチする場合、ディスプレイ装置は、タッチセンシング機能を通じて、該当地点（Ｐ１（Ｘ、Ｙ））のタッチをセンシングし、センシング結果に従うプロセス（例：入力、選択、アプリケーション実行など）を実行することができる。
【００２９】
ユーザがビーム発生器ＢＧを用いてディスプレイパネルＤＩＳＰ上の地点（Ｐ２（Ｘ、Ｙ））に光を照射する場合、ディスプレイ装置は、フォトセンシング機能を通じて、該当地点（Ｐ２（Ｘ、Ｙ））での光照射をセンシングし、センシング結果に従うプロセス（例：入力、選択、アプリケーション実行など）を実行することができる。
【００３０】
ビーム発生器ＢＧは、一例に、レーザーポインタ、リモコンなどに含まれることができる。ビーム発生器ＢＧは直進性の強い光を出力することができる。例えば、ビーム発生器ＢＧはレーザー光を出力することができる。ここで、一例に、ビーム発生器ＢＧから出射されるレーザー光は多様な波長を有することができ、多様な色相を帯びることもできる。
【００３１】
ディスプレイ装置はディスプレイ機能を提供するために、ディスプレイパネルＤＩＳＰ、データ駆動回路ＤＤＣ、ゲート駆動回路ＧＤＣ、ディスプレイコントローラＤＣＴＲなどを含むことができる。
【００３２】
ディスプレイ装置は、タッチセンシング機能及びフォトセンシング機能を含むマルチセンシング機能を提供するために、ディスプレイパネルＤＩＳＰ、フォト駆動回路ＰＤＣ、マルチセンシング回路ＭＳＣ、マルチコントローラＭＣＴＲなどを含むことができる。
【００３３】
図１を参照すると、ディスプレイパネルＤＩＳＰは、ディスプレイ機能のために、多数のデータラインＤＬ、多数のゲートラインＧＬ、及び多数のサブピクセルＳＰが配置できる。
【００３４】
多数のデータラインＤＬと多数のゲートラインＧＬは互いに異なる方向に配置されて互いに交差することができる。多数のデータラインＤＬは列方向または行方向に配置されることができ、多数のゲートラインＧＬは行方向または列方向に配置できる。以下では、多数のデータラインＤＬは列方向（縦方向）に配置され、多数のゲートラインＧＬは行方向（横方向）に配置されると仮定する。
【００３５】
多数のサブピクセルＳＰの各々は駆動トランジスタ及びピクセル電極を含むことができる。駆動トランジスタはゲートラインＧＬを通じてゲート電極に印加されたスキャン信号（ＳＣＡＮ）によりターン−オンされて、データラインＤＬで供給されたデータ信号（Ｖｄａｔａ）をピクセル電極に印加することができる。
【００３６】
ディスプレイパネルＤＩＳＰは、マルチセンシング機能のために、多数の共通電極ＣＯＭ、多数のリードアウトラインＲＯＬ、多数のフォトセンサーＰＳ、多数のフォト駆動ラインＰＤＬ、及び多数のフォト制御ラインＰＣＬなどを含むことができる。
【００３７】
ディスプレイ装置が有するタッチセンシング構成は、タッチセンサーの役割をする多数の共通電極ＣＯＭを含むことができる。タッチセンシング構成は、多数の共通電極ＣＯＭと共に、多数の共通電極ＣＯＭと電気的に連結されたリードアウトラインＲＯＬをさらに含むことができる。
【００３８】
ディスプレイ装置は、セルフ−キャパシタンス（Self-capacitance）に基づいてタッチをセンシングすることもでき、ミューチュアル−キャパシタンス（Mutual-capacitance）に基づいてタッチをセンシングすることもできる。以下では、説明の便宜のために、セルフ−キャパシタンスに基づいてタッチをセンシングすると仮定する。
【００３９】
一方、例えば、各共通電極ＣＯＭは開口部のない板形状の電極であるか、開口部があるメッシュ形態の電極であるか、または１つ以上の地点で曲がった形態の電極などでありうる。
【００４０】
ディスプレイ装置が有するフォトセンシング構成は、多数のフォトセンサーＰＳを含むことができる。多数のフォトセンサーＰＳの各々はフォトトランジスタＰＨＴを含むこともできる。場合によって、多数のフォトセンサーＰＳの各々はフォトキャパシタＣｓをさらに含むこともできる。
【００４１】
フォトセンシング構成は、多数のフォトセンサーＰＳと共に、多数のフォトトランジスタＰＨＴにフォト駆動信号（Ｖｄｒｖ）及びフォト制御信号（Ｖｓｔｏ）を伝達する多数のフォト駆動ラインＰＤＬ及び多数のフォト制御ラインＰＣＬをさらに含むことができ、場合によって、共通電極ＣＯＭとリードアウトラインＲＯＬをさらに含むことができる。
【００４２】
多数のフォトトランジスタＰＨＴの各々は、フォト制御信号（Ｖｓｔｏ）が印加されるゲート電極ＰＧと、フォト駆動信号（Ｖｄｒｖ）が印加される第１電極ＰＥ１と、信号出力ノードである第２電極ＰＥ２などを含むことができる。
【００４３】
フォトキャパシタＣｓは、フォトトランジスタＰＨＴの第２電極ＰＥ２とゲート電極ＰＧとの間に電気的に連結できる。このようなフォトキャパシタＣｓは、フォトセンサーＰＳ毎に存在することもあり、存在しないこともある。
【００４４】
フォト制御信号（Ｖｓｔｏ）は、フォト制御ラインＰＣＬを通じてフォトトランジスタＰＨＴのゲート電極ＰＧに印加できる。フォト駆動信号（Ｖｄｒｖ）は、フォト駆動ラインＰＤＬを通じてフォトトランジスタＰＨＴの第１電極ＰＥ１に印加できる。多数のフォトトランジスタＰＨＴの各々は、照射された光に反応して信号（Ｖｓ）を第２電極ＰＥ２に出力することができる。
【００４５】
多数の共通電極ＣＯＭの各々の領域には、２つ以上のフォトトランジスタＰＨＴが配置できる。
【００４６】
多数の共通電極ＣＯＭの各々の領域に配置された２つ以上のフォトトランジスタＰＨＴの各々の第２電極ＰＥ２は、該当共通電極ＣＯＭと電気的に連結されたリードアウトラインＲＯＬと電気的に連結できる。
【００４７】
したがって、多数のフォトトランジスタＰＨＴの各々が照射された光に反応して第２電極ＰＥ２に出力する信号（Ｖｓ）は、該当リードアウトラインＲＯＬを通じて検出できる。
【００４８】
このようなマルチセンシング機能と関連したディスプレイパネルＤＩＳＰ内の構成要素をタッチセンシング機能とフォトセンシング機能の各々に対して分類して見ると、多数のフォトトランジスタＰＨＴ、多数のフォト駆動ラインＰＤＬ、及び多数のフォト制御ラインＰＣＬは、フォトセンシング機能のみに関連した構成要素であり、多数の共通電極ＣＯＭ及び多数のリードアウトラインＲＯＬは、基本的には、タッチセンシング機能と関連した構成要素であるが、フォトセンシング機能のための必須な構成要素でもある。
【００４９】
ディスプレイ機能及びマルチセンシング機能のための駆動回路に対して説明する。
【００５０】
まず、ディスプレイ機能のためのディスプレイ駆動回路は、多数のデータラインＤＬを駆動するデータ駆動回路ＤＤＣと、多数のゲートラインＧＬを駆動するゲート駆動回路ＧＤＣと、データ駆動回路ＤＤＣ及びゲート駆動回路ＧＤＣの動作を制御するディスプレイコントローラＤＣＴＲなどを含むことができ、多数の共通電極ＣＯＭを駆動するマルチセンシング回路ＭＳＣをさらに含むこともできる。
【００５１】
ディスプレイコントローラＤＣＴＲはデータ駆動回路ＤＤＣ及びゲート駆動回路ＧＤＣに各種の制御信号（ＤＣＳ、ＧＣＳ）を供給して、データ駆動回路ＤＤＣ及びゲート駆動回路ＧＤＣを制御する。
【００５２】
ディスプレイコントローラＤＣＴＲは、各フレームで具現するタイミングによってスキャンを始めて、外部から入力される入力映像データをデータ駆動回路ＤＤＣで使用するデータ信号形式に合うように転換して、転換されたディジタル映像データＤＡＴＡを出力し、スキャンに合せて適当な時間にデータ駆動を統制する。
【００５３】
ゲート駆動回路ＧＤＣは、ディスプレイコントローラＤＣＴＲの制御によって、オン（On）電圧またはオフ（Off）電圧のゲート信号を多数のゲートラインＧＬに順次に供給する。
【００５４】
データ駆動回路ＤＤＣは、ゲート駆動回路ＧＤＣにより特定ゲートラインＧＬが開けば、ディスプレイコントローラＤＣＴＲから受信した映像データ信号を映像アナログ信号に変換して、これに対応するデータ信号（Ｖｄａｔａ）を多数のデータラインＤＬに供給する。
【００５５】
ディスプレイコントローラＤＣＴＲは、通常のディスプレイ技術で用いられるタイミングコントローラ（Timing Controller）であるか、タイミングコントローラ（Timing Controller）を含んで他の制御機能もさらに遂行する制御装置でありえ、タイミングコントローラと異なる制御装置でありうる。
【００５６】
ディスプレイコントローラＤＣＴＲは、データ駆動回路ＤＤＣと別途の部品で具現されることもでき、データ駆動回路ＤＤＣと共に集積回路で具現できる。
【００５７】
データ駆動回路ＤＤＣは、多数のデータラインＤＬにデータ信号（Ｖｄａｔａ）を供給することによって、多数のデータラインＤＬを駆動する。ここで、データ駆動回路ＤＤＣは‘ソースドライバ’ともいう。
【００５８】
このようなデータ駆動回路ＤＤＣは、少なくとも１つのソースドライバ集積回路（ＳＤＩＣ：Source Driver Integrated Circuit）を含むことができる。各ソースドライバ集積回路（ＳＤＩＣ）は、シフトレジスタ（Shift Register）、ラッチ回路（Latch Circuit）、ディジタル−アナログコンバータ（ＤＡＣ：Digital to Analog Converter）、出力バッファ回路（Output Buffer Circuit）などを含むことができる。各ソースドライバ集積回路（ＳＤＩＣ）は、場合によって、アナログ−ディジタルコンバータ（ＡＤＣ：Analog to Digital Converter）をさらに含むことができる。
【００５９】
各ソースドライバ集積回路（ＳＤＩＣ）は、ＴＡＢ（Tape Automated Bonding）方式、ＣＯＧ（Chip On Glass）方式、またはＣＯＦ（Chip On Film）方式などによりディスプレイパネルＤＩＳＰに連結できる。
【００６０】
ゲート駆動回路ＧＤＣは、多数のゲートラインＧＬにスキャン信号（ＳＣＡＮ）を順次に供給することによって、多数のゲートラインＧＬを順次に駆動する。ここで、ゲート駆動回路ＧＤＣは‘スキャンドライバ’ともいう。
【００６１】
ここで、スキャン信号（ＳＣＡＮ）は該当ゲートラインＧＬを閉じるようにするオフ−レベルゲート電圧と該当ゲートラインＧＬを開くようにするオン−レベルゲート電圧を構成する。
【００６２】
ゲート駆動回路ＧＤＣは、少なくとも１つのゲートドライバ集積回路（ＧＤＩＣ：Gate Driver Integrated Circuit）を含むことができる。各ゲートドライバ集積回路（ＧＤＩＣ）は、シフトレジスタ（Shift Register）、レベルシフタ（Level Shifter）などを含むことができる。
【００６３】
各ゲートドライバ集積回路（ＧＤＩＣ）は、ＣＯＧ（Chip On Glass）方式、またはＣＯＦ（Chip On Film）方式などによりディスプレイパネルＤＩＳＰに連結されることができ、ＧＩＰ（Gate In Panel）タイプで具現されてディスプレイパネルＤＩＳＰに内蔵されることもできる。
【００６４】
データ駆動回路ＤＤＣは、図１のように、ディスプレイパネルＤＩＳＰの一側（例：上側または下側など）のみに位置することもでき、場合によっては、駆動方式、パネル設計方式などによってディスプレイパネルＤＩＳＰの両側（例：上側と下側など）に全て位置することもできる。
【００６５】
ゲート駆動回路ＧＤＣは、図１のように、ディスプレイパネルＤＩＳＰの一側（例：左側または右側など）のみに位置することもでき、場合によっては、駆動方式、パネル設計方式などによってディスプレイパネルＤＩＳＰの両側（例：左側と右側など）に全て位置することもできる。
【００６６】
本発明の実施形態に従うディスプレイ装置は、液晶ディスプレイ装置、有機発光ディスプレイ装置、または量子ドットディスプレイ装置などの多様なタイプの表示装置でありうる。本発明の実施形態に従うディスプレイパネルＤＩＳＰも液晶ディスプレイパネル、有機発光ディスプレイパネル、または量子ドットディスプレイパネルなどの多様なタイプの表示パネルでありうる。
【００６７】
ディスプレイパネルＤＩＳＰに配置された各サブピクセルＳＰは、１つ以上の回路素子（例：トランジスタ、キャパシタなど）を含んで構成できる。
【００６８】
例えば、ディスプレイパネルＤＩＳＰが液晶ディスプレイパネルである場合、各サブピクセルＳＰにはピクセル電極が配置され、ピクセル電極とデータラインＤＬとの間に駆動トランジスタが電気的に連結できる。駆動トランジスタは、ゲートラインＧＬを通じてゲート電極に供給されるスキャン信号（ＳＣＡＮ）によりターン−オンされることができ、ターン−オン時、データラインＤＬを通じてソース電極（または、ドレイン電極）に供給されたデータ信号（Ｖｄａｔａ）をドレイン電極（または、ソース電極）に出力して、ドレイン電極（または、ソース電極）に電気的に連結されたピクセル電極にデータ信号（Ｖｄａｔａ）を印加することができる。データ信号（Ｖｄａｔａ）が印加されたピクセル電極と共通電圧（Ｖｃｏｍ）が印加された共通電極ＣＯＭとの間には電界が形成され、ピクセル電極と共通電極ＣＯＭとの間にキャパシタンスが形成できる。
【００６９】
各サブピクセルＳＰの構造は、パネルタイプ、提供機能、及び設計方式などによって多様に定まることができる。
【００７０】
次に、マルチセンシング機能のためのマルチ駆動回路は、マルチセンシング回路ＭＳＣ、フォト駆動回路ＰＤＣ、及びマルチコントローラＭＣＴＲなどを含むことができる。
【００７１】
マルチセンシング回路ＭＳＣは、ディスプレイパネルＤＩＳＰに配置された多数のリードアウトラインＲＯＬを通じてディスプレイパネルＤＩＳＰに配置された多数の共通電極ＣＯＭと電気的に連結できる。
【００７２】
フォト駆動回路ＰＤＣは、多数のディスプレイパネルＤＩＳＰに配置された多数のフォトトランジスタＰＨＴにフォト駆動信号（Ｖｄｒｖ）及びフォト制御信号（Ｖｓｔｏ）を伝達する多数のフォト駆動ラインＰＤＬ及び多数のフォト制御ラインＰＣＬを駆動することができる。
【００７３】
マルチコントローラＭＣＴＲはマルチセンシング回路ＭＳＣからセンシングデータを受信して、タッチ有無及び／又はタッチ座標を検出するか、または光照射有無及び／又は光照射座標（ユーザが光照射を通じて指定した位置であって、フォト座標ともいう）を検出することができる。
【００７４】
また、マルチコントローラＭＣＴＲは、マルチセンシング回路ＭＳＣ及びフォト駆動回路ＰＤＣの各々の駆動タイミングなどを制御することもできる。
【００７５】
マルチセンシング回路ＭＳＣは、多数の共通電極ＣＯＭを駆動し、多数の共通電極ＣＯＭをセンシングすることができる。即ち、マルチセンシング回路ＭＳＣは、多数のリードアウトラインＲＯＬを通じてタッチ駆動信号（ＴＤＳ）を多数の共通電極ＣＯＭに供給することによって、多数の共通電極ＣＯＭを駆動することができる。
【００７６】
フォト駆動回路ＰＤＣは、多数のフォト駆動ラインＰＤＬ及び多数のフォト制御ラインＰＣＬを駆動することができる。即ち、フォト駆動回路ＰＤＣは多数のフォト制御ラインＰＣＬにフォト制御信号（Ｖｓｔｏ）を出力することによって、多数のフォト制御ラインＰＣＬを駆動し、多数のフォト駆動ラインＰＤＬにフォト駆動信号（Ｖｄｒｖ）を出力することによって、多数のフォト駆動ラインＰＤＬを駆動することができる。
【００７７】
これによって、フォト制御信号（Ｖｓｔｏ）が多数のフォト制御ラインＰＣＬを通じて多数のフォトトランジスタＰＨＴのゲート電極ＰＧに印加できる。フォト駆動信号（Ｖｄｒｖ）が多数のフォト駆動ラインＰＤＬを通じて多数のフォトトランジスタＰＨＴの第１電極ＰＥ１に印加できる。
【００７８】
また、マルチセンシング回路ＭＳＣは、多数のリードアウトラインＲＯＬを通じて、多数の共通電極ＣＯＭの各々から信号（ＲＯＳ）を検出することによって、多数の共通電極ＣＯＭをセンシングすることができる。ここで、リードアウトラインＲＯＬを通じて共通電極ＣＯＭから検出される信号（ＲＯＳ）は、該当共通電極ＣＯＭの電気的な状態を示す。
【００７９】
マルチセンシング回路ＭＳＣが検出した信号（ＲＯＳ）は、ユーザの指またはペンなどのタッチによって発生する信号でありうる。この信号はタッチ有無及び／又はタッチ座標を突き止めることに必要な信号でありうる。
【００８０】
または、マルチセンシング回路ＭＳＣが検出した信号（ＲＯＳ）は、ディスプレイパネルＤＩＳＰに光が照射された場合、光照射位置に配置されたフォトトランジスタＰＨＴから出力される信号でありうる。この信号は、光照射有無及び／又は光照射位置（光照射を通じてのユーザ指定位置）を突き止めることに必要な信号でありうる。
【００８１】
マルチセンシング回路ＭＳＣは、多数のリードアウトラインＲＯＬを通じて検出された信号（ＲＯＳ）に基づいてセンシングデータを生成してマルチコントローラＭＣＴＲに出力することができる。
【００８２】
マルチコントローラＭＣＴＲは、センシングデータに基づいて、ディスプレイパネルＤＩＳＰでのタッチ有無またはタッチ座標をセンシングするか、またはディスプレイパネルＤＩＳＰでの光照射有無または光照射座標（フォト座標）をセンシングしてセンシング結果情報を出力することができる。
【００８３】
図２を参照すると、基本マルチセンサー構成を説明すると、共通電極ＣＯＭなどはタッチセンサーに該当し、フォトトランジスタＰＨＴ及びフォトキャパシタＣｓはフォトセンサーＰＳに該当することができる。
【００８４】
図２を参照すると、多数の共通電極ＣＯＭは同一な列に配置される第１共通電極ＣＯＭ１と第２共通電極ＣＯＭ２などを含むことができる。また、多数のリードアウトラインＲＯＬは、第１共通電極ＣＯＭ１とマルチセンシング回路ＭＳＣを電気的に連結してくれる第１リードアウトラインＲＯＬ１と、第２共通電極ＣＯＭ２とマルチセンシング回路ＭＳＣを電気的に連結してくれる第２リードアウトラインＲＯＬ２などを含むことができる。
【００８５】
第１共通電極ＣＯＭ１の領域には２つ以上のフォトトランジスタＰＨＴが配置できる。第１共通電極ＣＯＭ１の領域に配置された２つ以上のフォトトランジスタＰＨＴの各々の第２電極ＰＥ２は第１共通電極ＣＯＭ１と電気的に連結できる。
【００８６】
これと同様に、第２共通電極ＣＯＭ２の領域には２つ以上のフォトトランジスタＰＨＴが配置できる。第２共通電極ＣＯＭ２の領域に配置された２つ以上のフォトトランジスタＰＨＴの各々の第２電極ＰＥ２は第２共通電極ＣＯＭ２と電気的に連結できる。
【００８７】
第１リードアウトラインＲＯＬ１は第１共通電極ＣＯＭ１と第２共通電極ＣＯＭ２と全て重畳できる。しかしながら、第１リードアウトラインＲＯＬ１はコンタクトホール（ＣＮＴ＿ＣＯＭ＿ＲＯＬ）を通じて第１共通電極ＣＯＭ１のみと電気的に連結され、第２共通電極ＣＯＭ２とは絶縁できる。
【００８８】
第２リードアウトラインＲＯＬ２は、第１共通電極ＣＯＭ１と第２共通電極ＣＯＭ２と全て重畳できる。しかしながら、第２リードアウトラインＲＯＬ２はコンタクトホール（ＣＮＴ＿ＣＯＭ＿ＲＯＬ）を通じて第２共通電極ＣＯＭ２のみと電気的に連結され、第１共通電極ＣＯＭ１とは絶縁できる。
【００８９】
第１共通電極ＣＯＭ１及び第２共通電極ＣＯＭ２は同一な列に配置されるので、第１共通電極ＣＯＭ１と重畳する２つ以上のデータラインＤＬと、第２共通電極ＣＯＭ２と重畳する２つ以上のデータラインＤＬは同一でありうる。
【００９０】
第１リードアウトラインＲＯＬ１と第２リードアウトラインＲＯＬ２の各々は２つ以上のデータラインＤＬと同一な方向に配置できる。
【００９１】
図３及び図４は、本発明の実施形態に従うディスプレイパネルＤＩＳＰの基本構造を示した平面図である。
【００９２】
図３及び図４を参照すると、ディスプレイパネルＤＩＳＰは表示領域に該当するアクティブ領域（Ａ／Ａ）と、アクティブ領域（Ａ／Ａ）の外郭領域であり、非表示領域であるノン−アクティブ領域（Ｎ／Ａ）を含む。
【００９３】
図３及び図４は，ディスプレイパネルＤＩＳＰで、アクティブ領域（Ａ／Ａ）の一部とノン−アクティブ領域（Ｎ／Ａ）の一部がある左上側領域に対する平面図である。左上側領域はデータ駆動回路ＤＤＣ及び印刷回路基板などを通じて各種の信号（データ信号、ゲート駆動関連電圧、共通電圧、フォト駆動信号、フォト制御信号など）が供給される領域である。
【００９４】
図３及び図４を参照すると、ディスプレイパネルＤＩＳＰには、多数のデータラインＤＬ及び多数のリードアウトラインＲＯＬが列方向（縦方向）に配置され、多数のゲートラインＧＬ、多数のフォト駆動ラインＰＤＬ、及び多数のフォト制御ラインＰＣＬが行方向（横方向）に配置できる。
【００９５】
図３及び図４を参照すると、アクティブ領域（Ａ／Ａ）には多数のサブピクセルＳＰがマトリックスタイプで配列される。多数のサブピクセルＳＰの各々はピクセル電極ＰＸＬと駆動トランジスタＤＲＴを含むことができる。駆動トランジスタＤＲＴはゲートラインＧＬを通じてゲート電極に印加されたスキャン信号（ＳＣＡＮ）によりターン−オンされて、データラインＤＬで供給されたデータ信号（Ｖｄａｔａ）をピクセル電極ＰＸＬに印加することができる。
【００９６】
また、アクティブ領域（Ａ／Ａ）には、多数のフォトトランジスタＰＨＴが配置できる。
【００９７】
フォトトランジスタＰＨＴは１つのサブピクセルＳＰ当たり１つずつ割り当てられることもでき、２つ以上のサブピクセルＳＰ当たり１つずつ割当てできる。
【００９８】
これによれば、フォト駆動ラインＰＤＬが１つのサブピクセルＳＰ当たり１つずつ割り当てることができ、２つ以上のサブピクセルＳＰ当たり１つずつ割り当てられることができる。フォト制御ラインＰＣＬが１つのサブピクセルＳＰ当たり１つずつ割り当てられることもでき、２つ以上のサブピクセルＳＰ当たり１つずつ割り当てられることができる。
【００９９】
例えば、図３及び図４に示すように、１つのサブピクセル行毎にフォトトランジスタＰＨＴが１行以上に配列できる。即ち、２つのサブピクセル行の間毎にフォトトランジスタＰＨＴが１行以上に配列できる。この場合、２つのサブピクセル行の間毎に１つ以上のフォト駆動ラインＰＤＬと１つ以上のフォト制御ラインＰＣＬが配置できる。
【０１００】
他の例として、２つのサブピクセル行毎にフォトトランジスタＰＨＴが１行または２行に配列できる。たとえ、第１サブピクセル行、第２サブピクセル行、第３サブピクセル行、及び第４サブピクセル行が順にある場合、第１サブピクセル行と第２サブピクセル行との間には１行以上のフォトトランジスタＰＨＴが配列され、第２サブピクセル行と第３サブピクセル行との間にはフォトトランジスタＰＨＴが配列されず、第３サブピクセル行と第４サブピクセル行との間には１行以上のフォトトランジスタＰＨＴが配列できる。この場合、第１サブピクセル行と第２サブピクセル行との間には１つ以上のフォト駆動ラインＰＤＬと１つ以上のフォト制御ラインＰＣＬが配置され、第２サブピクセル行と第３サブピクセル行との間にはフォト駆動ラインＰＤＬとフォト制御ラインＰＣＬが配置されず、第３サブピクセル行と第４サブピクセル行との間には１つ以上のフォト駆動ラインＰＤＬと１つ以上のフォト制御ラインＰＣＬが配置できる。
【０１０１】
図３及び図４を参照すると、２つのゲートラインＧＬの間に、フォトトランジスタＰＨＴ、１つ以上のフォト駆動ラインＰＤＬ、及び１つ以上のフォト制御ラインＰＣＬが配置できる。
【０１０２】
一方、図３及び図４を参照すると、ノン−アクティブ領域（Ｎ／Ａ）は１つ以上のダミーサブピクセル行が配置されるダミーピクセル領域（Ｄ／Ａ）を含むことができる。
【０１０３】
ダミーピクセル領域（Ｄ／Ａ）はアクティブ領域（Ａ／Ａ）の一側または両側のみに存在することもあり、アクティブ領域（Ａ／Ａ）の全ての外郭に存在することもできる。
【０１０４】
１つ以上のダミーサブピクセル行に含まれる多数のダミーサブピクセルＤＭＹ＿ＳＰの各々はダミーピクセル電極ＤＭＹ＿ＰＸＬを含むことができる。また、多数のダミーサブピクセルＤＭＹ＿ＳＰの各々は駆動トランジスタＤＲＴをさらに含むことができる。
【０１０５】
１つ以上のダミーサブピクセル行はアクティブ領域（Ａ／Ａ）でのサブピクセル行と同一に設計される。即ち、ダミーゲートラインＤＭＹ＿ＧＬ、ダミーピクセル電極ＤＭＹ＿ＰＸＬが配置され、場合によって、ダミーデータラインＤＭＹ＿ＤＬが配置できる。
【０１０６】
ここで、ダミーデータラインＤＭＹ＿ＤＬはデータラインＤＬ及び／又は共通電極ＣＯＭと同一物質で構成できる。ダミーゲートラインＤＭＹ＿ＧＬは、ゲートラインＧＬなどと同一物質で構成できる。
【０１０７】
多数のダミーサブピクセルＤＭＹ＿ＳＰの各々に配置された駆動トランジスタＤＲＴで、ゲート電極はダミーゲートラインＤＭＹ＿ＧＬと連結され、ソース電極（または、ドレイン電極）はダミーデータラインＤＭＹ＿ＤＬと連結され、ドレイン電極（または、ソース電極）はダミーピクセル電極ＤＭＹ＿ＰＸＬと連結できる。多数のダミーサブピクセルＤＭＹ＿ＳＰの各々に配置された駆動トランジスタＤＲＴはオン−オフ動作をすることもでき、常にオフ状態でありうる。ダミーゲートラインＤＭＹ＿ＧＬはアクティブ領域（Ａ／Ａ）に印加されるスキャン信号（ＳＣＡＮ）と同一な形態の信号が印加されることもでき、フローティング状態でありえ、常にターン−オフレベル電圧（例：ローレベル電圧）が印加されることもできる。
【０１０８】
アクティブ領域（Ａ／Ａ）の外郭にダミーピクセル領域（Ｄ／Ａ）を置くことによって、光漏れ誘発防止、静電気防止、ラビング（Rubbing）むら防止などの効果を期待することができる。
【０１０９】
一方、ノン−アクティブ領域（Ｎ／Ａ）内のダミーピクセル領域（Ｄ／Ａ）にも、ダミーフォトトランジスタＤＭＹ＿ＰＨＴが配置されることができ、ダミーフォト駆動ラインＤＭＹ＿ＰＤＬ及びダミーフォト制御ラインＤＭＹ＿ＰＣＬが配置できる。
【０１１０】
即ち、ダミーピクセル電極ＤＭＹ＿ＰＸＬまたはダミーゲートラインＤＭＹ＿ＧＬと、アクティブ領域（Ａ／Ａ）の間に、ダミーフォトトランジスタＤＭＹ＿ＰＨＴ、ダミーフォト駆動ラインＤＭＹ＿ＰＤＬ、及びダミーフォト制御ラインＤＭＹ＿ＰＣＬが配置できる。
【０１１１】
一方、図３を参照すると、信号供給位置を考慮する時、ディスプレイパネルＤＩＳＰに流入するフォト駆動信号（Ｖｄｒｖ）及びフォト制御信号（Ｖｓｔｏ）が行方向（横方向）に配置された多数のフォト駆動ラインＰＤＬと多数のフォト制御ラインＰＣＬに伝達されるためには、ディスプレイパネルＤＩＳＰに流入するフォト駆動信号（Ｖｄｒｖ）及びフォト制御信号（Ｖｓｔｏ）を行方向（横方向）に配置された多数のフォト駆動ラインＰＤＬと多数のフォト制御ラインＰＣＬに伝達してくれるための列方向（縦方向）のメインフォト駆動ラインＭＰＤＬとメインフォト制御ラインＭＰＣＬがノン−アクティブ領域（Ｎ／Ａ）に配置されなければならない。
【０１１２】
ノン−アクティブ領域（Ｎ／Ａ）に配置されたメインフォト駆動ラインＭＰＤＬは、多数のコンタクトホールＣＮＴ＿ＤＲＶを通じて行方向（横方向）に配置されたフォト駆動ラインＰＤＬと連結される。ノン−アクティブ領域（Ｎ／Ａ）に配置されたメインフォト制御ラインＭＰＣＬは多数のコンタクトホールＣＮＴ＿ＳＴＯを通じて行方向（横方向）に配置されたフォト制御ラインＰＣＬと連結される。
【０１１３】
図３を参照すると、ノン−アクティブ領域（Ｎ／Ａ）内でダミーピクセル電極ＤＭＹ＿ＰＸＬを含むダミーサブピクセルＤＭＹ＿ＳＰがアクティブ領域（Ａ／Ａ）と最も隣接するように配置されるので、メインフォト駆動ラインＭＰＤＬとメインフォト制御ラインＭＰＣＬはダミーサブピクセルＤＭＹ＿ＳＰまたはダミーデータラインＤＭＹ＿ＤＬなどよりさらに外郭に配置されなければならない。これによって、ノン−アクティブ領域（Ｎ／Ａ）の幅が大きくならざるをえない。即ち、ダミーピクセル領域（Ｄ／Ａ）が存在する場合、アクティブ領域（Ａ／Ａ）にフォトセンシング構成が配置される場合、メインフォト駆動ラインＭＰＤＬとメインフォト制御ラインＭＰＣＬがダミーピクセル領域（Ｄ／Ａ）の外郭に配置されざるをえなくてベゼルサイズが増加せざるをえない。
【０１１４】
図４を参照すると、ノン−アクティブ領域（Ｎ／Ａ）内のダミーピクセル領域（Ｄ／Ａ）が存在する場合、ダミーサブピクセルＤＭＹ＿ＳＰの各々の駆動トランジスタＤＲＴのソース電極（または、ドレイン電極）に連結されたダミーデータラインＤＭＹ＿ＤＬをメインフォト駆動ラインＭＰＤＬとメインフォト制御ラインＭＰＣＬに活用することによって、フォト駆動信号（Ｖｄｒｖ）及びフォト制御信号（Ｖｓｔｏ）の伝達のための列方向配線をノン−アクティブ領域（Ｎ／Ａ）に追加で配置する必要がない。したがって、メインフォト駆動ラインＭＰＤＬとメインフォト制御ラインＭＰＣＬによるベゼルサイズの増加を防止することができる。
【０１１５】
このような場合、メインフォト駆動ラインＭＰＤＬ及びメインフォト制御ラインＭＰＣＬのうち、少なくとも１つは多数のダミーサブピクセルＤＭＹ＿ＳＰと連結できる。即ち、メインフォト駆動ラインＭＰＤＬ及びメインフォト制御ラインＭＰＣＬのうち、少なくとも１つは多数のダミーサブピクセルＤＭＹ＿ＳＰの各々に含まれる駆動トランジスタＤＲＴのソース電極（または、ドレイン電極）と連結できる。
【０１１６】
また、このような場合、メインフォト駆動ラインＭＰＤＬ及びメインフォト制御ラインＭＰＣＬはデータラインＤＬと同一な物質でありうる。
【０１１７】
図４を参照すると、フォト駆動ラインＰＤＬ及びフォト制御ラインＰＣＬは、ゲートラインＧＬと同一な方向に配置される。メインフォト駆動ラインＭＰＤＬ及びメインフォト制御ラインＭＰＣＬは、ゲートラインＧＬと交差するデータラインＤＬと同一な方向に配置できる。
【０１１８】
一方、図３及び図４では、説明の便宜のために、リードアウトラインＲＯＬと電気的に連結される共通電極ＣＯＭは省略された。各共通電極ＣＯＭの領域のサイズは２つのサブピクセルＳＰが占める領域のサイズ以上でありうる。共通電極ＣＯＭの構造は後でより詳細に説明する。
【０１１９】
一方、本発明の実施形態に従うディスプレイ装置は、データ駆動回路ＤＤＣのチャンネル数を減らすことができるダブルレート駆動（ＤＲＤ：Double Rate Driving）を遂行する場合、図３及び図４に示すように、ディスプレイパネルＤＩＳＰはサブピクセル行の上下にゲートラインＧＬが１つずつ配置され、１つのデータラインＤＬを２つのサブピクセル列が共有する構造を有する。
【０１２０】
一方、本発明の実施形態に従うディスプレイパネルＤＩＳＰに配置された多数のサブピクセルＳＰは、赤色サブピクセル、緑色サブピクセル、青色サブピクセルなどで構成できる。本発明の実施形態で、多数のサブピクセルＳＰの各々には該当色相を具現するために必要な赤色カラーフィルタ（顔料）、緑色カラーフィルタ（顔料）、青色カラーフィルタ（顔料）などが各々配置できる。この際、赤色カラーフィルタ（顔料）、緑色カラーフィルタ（顔料）、青色カラーフィルタ（顔料）は、カラーフィルタ基板に配置されることもでき、薄膜トランジスタアレイ基板に配置できる。
【０１２１】
この際の各々の赤色カラーフィルタ（顔料）、緑色カラーフィルタ（顔料）、青色カラーフィルタ（顔料）が配置された領域にフォトトランジスタＰＨＴが重畳して配置できる。以下では、ビーム発生器ＢＧから出射されたレーザーなどの光がフォトトランジスタＰＨＴより各々のカラーフィルタに先に入射される場合に対して説明する。
【０１２２】
ビーム発生器ＢＧから出射される光が特定の色相を有する場合、ビーム発生器ＢＧから出射された光の色相と同一または類似の色相のカラーフィルタと重畳して配置されるフォトトランジスタＰＨＴが光に主として反応してフォトセンシングに活用される。
【０１２３】
例えば、ビーム発生器ＢＧから出射された光が赤色波長帯の光である場合、ビーム発生器ＢＧから出射された光は各々の赤色カラーフィルタ（顔料）、緑色カラーフィルタ（顔料）、青色カラーフィルタ（顔料）を通過して、赤色カラーフィルタ（顔料）、緑色カラーフィルタ（顔料）、青色カラーフィルタ（顔料）の各々に重畳するフォトトランジスタＰＨＴに入射できる。この際、赤色カラーフィルタと重畳して配置された赤色フォトトランジスタＰＨＴが光に主として反応して漏洩電流を発生させる。しかしながら、緑色カラーフィルタ及び青色カラーフィルタと重畳して配置されたフォトトランジスタは、光反応性が落ちて相対的に少ない漏洩電流を発生させる。なぜならば、赤色波長帯の光は相対的に緑色カラーフィルタ及び青色カラーフィルタをよく通過できないためである。したがって、表示パネルにポインティングされる領域に入射される光が赤色波長帯の光である場合、赤色カラーフィルタと重畳して配置された１つ以上のフォトトランジスタＰＨＴが主として光反応して漏洩電流を発生させ、フォトセンシングとこれに基づいた光照射位置を把握することに利用できる。
【０１２４】
図５は本発明の実施形態に従うマルチセンシングシステムを示した図であり、図６は本発明の実施形態に従うディスプレイ装置の光照射有無に従うフォトトランジスタＰＨＴの出力信号（Ｖｓ）を示したグラフである。
【０１２５】
図５を参照すると、本発明の実施形態に従うマルチセンシングシステムは、フォトトランジスタＰＨＴなどを含むフォトセンサーＰＳと、タッチセンサーの役割をする共通電極ＣＯＭと、フォトセンサーＰＳ及び共通電極ＣＯＭをセンシングするマルチセンシング回路ＭＳＣなどを含むことができる。
【０１２６】
フォトセンサーＰＳは共通電極ＣＯＭに連結され、共通電極ＣＯＭはリードアウトラインＲＯＬを通じてマルチセンシング回路ＭＳＣと連結される。したがって、リードアウトラインＲＯＬはマルチセンシング回路ＭＳＣがフォトセンサーＰＳ及び共通電極ＣＯＭをセンシングするための共用化された配線である。
【０１２７】
マルチセンシング回路ＭＳＣは、多数のセンシングユニットと、１つ以上のアナログディジタルコンバータ（ＡＤＣ）を含むことができる。
【０１２８】
多数のセンシングユニットの各々は電荷増幅器ＣＡＭＰと、電荷増幅器ＣＡＭＰの出力信号（Ｖｏｕｔ）を積分して、積分値を出力する積分器ＩＮＴＧと、積分器ＩＮＴＧの積分値を格納するサンプルアンドホールド回路ＳＨＡなどを含むことができる。
【０１２９】
電荷増幅器ＣＡＭＰは、入力信号（Ｖｉｎ）としてタッチ駆動信号（ＴＤＳ）が入力される第１入力端（ＩＮ１）、第１マルチプレクサと連結される第２入力端（ＩＮ２）と、出力信号（Ｖｏｕｔ）を出力する出力端（ＯＵＴ）を有する演算増幅器ＯＰ−ＡＭＰと、第２入力端（ＩＮ２）と出力端（ＯＵＴ）との間に連結されたフィードバックキャパシタＣｆｂなどを含むことができる。第１入力端（ＩＮ１）は非反転入力端であり、第２入力端（ＩＮ２）は反転入力端でありうる。
【０１３０】
マルチセンシング回路ＭＳＣは、多数の共通電極ＣＯＭのうちの一部を選択的に多数のセンシングユニットに連結してくれる第１マルチプレクサと、多数のセンシングユニットのうちの一部を選択的にアナログディジタルコンバータ（ＡＤＣ）と連結してくれる第２マルチプレクサなどをさらに含むことができる。
【０１３１】
まず、タッチセンシングに対して説明する。マルチセンシング回路ＭＳＣは、タッチ発生時、各共通電極ＣＯＭのフィンガーキャパシタンスＣｆの変化をセンシングしてタッチ有無及び／又はタッチ座標を検出することができる。
【０１３２】
マルチセンシング回路ＭＳＣは、タッチ前後、フィンガーキャパシタンスＣｆによるロード増加量（Ｃｆ増加量）をタッチセンサー（タッチ電極）の役割をする共通電極ＣＯＭに印加されるタッチ駆動信号（ＴＤＳ）と電荷増幅器ＣＡＭＰの出力信号（Ｖｏｕｔ）の電圧差（Ｖｏｕｔ−Ｖｉｎ）を通じてセンシングすることができる。
【０１３３】
マルチセンシング回路ＭＳＣは、タッチセンシング時間内の積分器ＩＮＴＧを用いて累積された電圧差（Ｖｏｕｔ−Ｖｉｎ）をアナログディジタルコンバータ（ＡＤＣ）を用いてディジタル値に該当したセンシング値に変換してセンシングデータを生成して出力する。マルチコントローラＭＣＴＲは、センシングデータを用いてタッチをセンシングすることができる。
【０１３４】
次に、フォトセンシングについて説明する。
【０１３５】
本発明の実施形態に従うフォトセンシングは、フォトトランジスタＰＨＴをターン−オフさせておいた状態で、フォトトランジスタＰＨＴに光が照射された場合、フォトトランジスタＰＨＴの光反応によりフォトトランジスタＰＨＴで漏洩電流（または、オフ電流）が発生すれば、漏洩電流の発生及び増加によりフォトキャパシタＣｓに充電された電荷を共通電極ＣＯＭに印加されるタッチ駆動信号（ＴＤＳ）と電荷増幅器ＣＡＭＰの出力信号（Ｖｏｕｔ）の電圧差（Ｖｏｕｔ−Ｖｉｎ）を通じてセンシングすることができる。ここで、フォトキャパシタＣｓはないこともある。フォトキャパシタＣｓがなくても、フォトトランジスタＰＨＴの第２電極ＰＥ２が有するキャパシタンス成分により電荷充電できる。
【０１３６】
フォトセンシングのために、フォトトランジスタＰＨＴはターン−オフ状態にいなければならない。したがって、フォトトランジスタＰＨＴのゲート電極ＰＧに印加されるフォト制御信号（Ｖｓｔｏ）は、フォトトランジスタＰＨＴをターン−オフさせることができるターン−オフレベル電圧を有する。
【０１３７】
タッチセンシング及びフォトセンシング全ては共通電極ＣＯＭ及びリードアウトラインＲＯＬが共通に用いられる。また、マルチセンシング回路ＭＳＣがリードアウトラインＲＯＬを通じて共通電極ＣＯＭの電気的な状態（電荷、キャパシタンス）を検出してタッチセンシング及びフォトセンシングを遂行する。リードアウトラインＲＯＬはタッチセンシング及びフォトセンシングのための共用化された信号配線である。
【０１３８】
フォトセンシング時、フォトトランジスタＰＨＴの出力信号（Ｖｓ）が基準電圧（パルス形態）と合算されて、フォトセンシングに必要な電圧差（Ｖｏｕｔ−Ｖｉｎ）が発生する。ここで、基準電圧はタッチ及びフォトトランジスタＰＨＴによる変化がない状態のパルス電圧であって、タッチ駆動信号（ＴＤＳ）に該当する入力信号（Ｖｉｎ）及び電荷増幅器ＣＡＭＰの出力値（Ｖｏｕｔ）と同一である（電圧差＝０）。
【０１３９】
図６は、例えば、１つの共通電極ＣＯＭに約７０個位のフォトトランジスタＰＨＴの第２電極ＰＥ２が連結された環境下で、照射光をレーザー（Laser）に使用したセンシングシミュレーション結果である。
【０１４０】
図６を参照すると、レーザーセンシング（Laser Sensing）の場合、レーザーのオン−オフによって電荷増幅器ＣＡＭＰの出力信号（Ｖｏｕｔ）の中心値が下に移動する。
【０１４１】
レーザー照射によりフォトトランジスタＰＨＴで漏洩電流（オフ電流、off current）が発生すれば、電荷がセンシングユニット内の演算増幅器ＯＰ−ＡＭＰの第２入力端（ＩＮ２）に流入してフィードバックキャパシタＣｆｂにより蓄積されながら、電位が上昇する。ところで、第２入力端（ＩＮ２）は演算増幅器ＯＰ−ＡＭＰの観点から見た時、反転入力端となる。即ち、漏洩電流（オフ電流）により電位が上昇すれば、図６に示すように、結果的に出力信号（Ｖｏｕｔ）の値の全体が減少できる。
【０１４２】
したがって、図６に示すように、光が照射された場合の出力信号（Ｖｏｕｔ）は光が照射されない場合の出力信号（Ｖｏｕｔ）より電圧レベルがΔＶｏｎ／ｏｆｆだけ低くなる。
【０１４３】
しかしながら、光が照射された場合の出力信号（Ｖｏｕｔ）は、タッチセンシングのためのフィンガーキャパシタンスＣｆのように演算増幅器ＯＰ−ＡＭＰのゲイン（gain）に影響を与えないので、出力信号（Ｖｏｕｔ）の振幅はそのまま維持したまま、中心値のみ下に移動する。
【０１４４】
したがって、光が照射された場合の出力信号（Ｖｏｕｔ）と光が照射されない場合の出力信号（Ｖｏｕｔ）は、信号波形（周波数、位相、振幅）が同一または類似する。光が照射された場合の出力信号（Ｖｏｕｔ）と光が照射されない場合の出力信号（Ｖｏｕｔ）は、タッチ駆動信号（ＴＤＳ）と同一な信号波形を有する。
【０１４５】
一方、図５を参照すると、マルチセンシングのための駆動期間の間、共通電極ＣＯＭにタッチ駆動信号（ＴＤＳ）が印加される時、共通電極ＣＯＭはディスプレイパネルＤＩＳＰ内のデータラインＤＬ、ゲートラインＧＬ、及び他の共通電極（Other COM）などと寄生キャパシタンス（Ｃｄｃ、Ｃｇｃ、Ｃｃｃ）を形成することができる。このような寄生キャパシタンス（Ｃｄｃ、Ｃｇｃ、Ｃｃｃ）はタッチ感度が落ちる要因となる。
【０１４６】
したがって、本発明の実施形態に従うディスプレイ装置は、共通電極ＣＯＭにタッチ駆動信号（ＴＤＳ）が印加される時、共通電極ＣＯＭとディスプレイパネルＤＩＳＰ内の他のパターン（ＤＬ、ＧＬ、Other COM）間の寄生キャパシタンス（Ｃｄｃ、Ｃｇｃ、Ｃｃｃ）の形成を防止してくれるロードフリー駆動（ＬＦＤ：Load Free Driving）を遂行することができる。
【０１４７】
ＬＦＤ駆動時、共通電極ＣＯＭに印加されるタッチ駆動信号（ＴＤＳ）と同一または類似のＬＦＤ信号をディスプレイパネルＤＩＳＰ内の他のパターン（ＤＬ、ＧＬ、Other COM）に印加することができる。ＬＦＤ信号は、タッチ駆動信号（ＴＤＳ）の周波数、位相及び振幅（ΔＶ）のうちの１つ以上と対応する。これによって、共通電極ＣＯＭとディスプレイパネルＤＩＳＰ内の他のパターン（ＤＬ、ＧＬ、Other COM）間の電位差がなくなって寄生キャパシタンス（Ｃｄｃ、Ｃｇｃ、Ｃｃｃ）が防止できる。
【０１４８】
図７は、本発明の実施形態に従うディスプレイ装置の駆動タイミングダイヤグラムである。
【０１４９】
図７を参照すると、本発明の実施形態に従うディスプレイ装置はディスプレイとマルチセンシング（タッチセンシング、フォトセンシング）を互いに異なる時間帯に進行することができる。
【０１５０】
例えば、１フレーム時間内のアクティブ時間の間ディスプレイ駆動を進行し、ブランク（Blank）時間の間マルチセンシングを進行することができる。ブランク時間の間、タッチセンシングとフォトセンシングは同時に進行される。
【０１５１】
図７を参照すると、ディスプレイ駆動期間の間、データラインＤＬにはデータ信号（Ｖｄａｔａ）が印加され、ゲートラインＧＬにはスキャン信号（ＳＣＡＮ）が印加され、全ての共通電極ＣＯＭには共通電圧（Ｖｃｏｍ）が印加できる。
【０１５２】
また、ディスプレイ駆動期間の間、フォト駆動ラインＰＤＬ及びフォト制御ラインＰＣＬは、フローティング状態であるか、または共通電圧（Ｖｃｏｍ）、グラウンド電圧、またはディスプレイ駆動関連配線や電極に影響を及ぼさない電圧が印加できる。
【０１５３】
言い換えると、ディスプレイ駆動期間の間、マルチセンシング回路ＭＳＣは一定の電圧レベルを有する共通電圧（Ｖｃｏｍ）を多数のリードアウトラインＲＯＬを通じて多数の共通電極ＣＯＭに出力する。フォト駆動回路ＰＤＣは、フォト駆動ラインＰＤＬ及びフォト制御ラインＰＣＬをフローティングさせるか、または一定の電圧レベルを有するフォト駆動信号（Ｖｄｒｖ）及びフォト制御信号（Ｖｓｔｏ）をフォト駆動ラインＰＤＬ及びフォト制御ラインＰＣＬに出力する。ここで、ディスプレイ駆動期間の間、一定の電圧レベルを有するフォト駆動信号（Ｖｄｒｖ）及びフォト制御信号（Ｖｓｔｏ）は、一例に、ＤＣ電圧形態の共通電圧（Ｖｃｏｍ）と同一でありうる。
【０１５４】
図７を参照すると、ディスプレイ駆動期間の以後のブランク期間の間、タッチセンシングのためのタッチ駆動とフォトセンシングのためのフォト駆動が同時に進行される。
【０１５５】
ブランク期間の間、マルチセンシング回路ＭＳＣはタッチセンシングのために電圧レベルがスイングされるタッチ駆動信号（ＴＤＳ）を多数のリードアウトラインＲＯＬを通じて多数の共通電極ＣＯＭに出力する。
【０１５６】
ブランク期間の間、フォト駆動回路ＰＤＣはフォトセンシングのために電圧レベルがスイングされるフォト駆動信号（Ｖｄｒｖ）及びフォト制御信号（Ｖｓｔｏ）をフォト駆動ラインＰＤＬ及びフォト制御ラインＰＣＬに出力する。
【０１５７】
ブランク期間の間、フォト駆動信号（Ｖｄｒｖ）及びフォト制御信号（Ｖｓｔｏ）は、タッチ駆動信号（ＴＤＳ）と周波数、位相、及び振幅（ΔＶ）のうち、少なくとも１つが対応できる。
【０１５８】
このような信号特性の類似性によって、フォト駆動信号（Ｖｄｒｖ）及びフォト制御信号（Ｖｓｔｏ）は一種のＬＦＤ信号の役割もする。即ち、フォト駆動ラインＰＤＬ及びフォト制御ラインＰＣＬは共通電極ＣＯＭと不必要な寄生キャパシタンスを形成しないことがある。
【０１５９】
フォトセンシングは、フォトトランジスタＰＨＴがターン−オフされた状態で、光照射によってフォトトランジスタＰＨＴで発生する漏洩電流を用いるため、ブランク期間の間、フォト制御信号（Ｖｓｔｏ）は電圧レベルがスイングしても最大に高い電圧レベルがフォトトランジスタＰＨＴをターン−オンさせる水準まで高まらなければならない。
【０１６０】
したがって、ブランク期間の間、フォト制御信号（Ｖｓｔｏ）はフォトトランジスタＰＨＴをターン−オフさせるターン−オフ電圧範囲内でスイングすることができる。
【０１６１】
ここで、電圧レベルが可変するタッチ駆動信号（ＴＤＳ）、フォト駆動信号（Ｖｄｒｖ）、及びフォト制御信号（Ｖｓｔｏ）は、ＡＣ信号、変調信号、またはパルス信号などということができる。
【０１６２】
一方、ブランク期間の間、データラインＤＬに対するＬＦＤのために、データラインＤＬにはタッチ駆動信号（ＴＤＳ）と周波数、位相、及び振幅（ΔＶ）などのうち、少なくとも１つが対応するＬＦＤ信号（Ｄ＿ＬＦＤＳ）が印加できる。
【０１６３】
また、ブランク期間の間、ゲートラインＧＬに対するＬＦＤのために、ゲートラインＧＬにはタッチ駆動信号（ＴＤＳ）と周波数、位相、及び振幅（ΔＶ）などのうち、少なくとも１つが対応するＬＦＤ信号（Ｇ＿ＬＦＤＳ）が印加できる。
【０１６４】
また、ブランク期間の間、共通電極ＣＯＭに対するＬＦＤのために、センシング対象となる共通電極ＣＯＭに印加されるタッチ駆動信号（ＴＤＳ）と周波数、位相、及び振幅（ΔＶ）などのうち、少なくとも１つが対応するＬＦＤ信号（Ｃ＿ＬＦＤＳ）が非センシング対象である共通電極（Other COM）に印加できる。
【０１６５】
図８は、本発明の実施形態に従うディスプレイパネルＤＩＳＰに配置されたピクセルの回路構造の例示を示した図である。
【０１６６】
図８を参照すると、ディスプレイパネルＤＩＳＰに配置されたピクセルは、ディスプレイ駆動のためのサブピクセル行ＳＰＲとフォトセンシングのためのフォトセンサー行ＰＳＲを含むことができる。そして、ディスプレイ駆動及びフォトセンシングのための各種の回路素子と信号ラインが配置できる。また、タッチ電極ＴＥの機能を提供する共通電極ＣＯＭが多数のピクセルと対応するように配置できる。
【０１６７】
ここで、共通電極ＣＯＭと対応するということは，共通電極ＣＯＭによりディスプレイ駆動やタッチセンシングがなされる領域と対応するということを意味するので、共通電極ＣＯＭと必ず重畳した領域を意味するのではない。即ち、共通電極ＣＯＭと対応する領域は分離されて配置された共通電極ＣＯＭにより定義される‘タッチブロック’を意味することができる。
【０１６８】
信号ラインの例として、一方向にディスプレイ駆動のための多数のゲートラインＧＬと、フォトセンシングのためのフォト制御ラインＰＣＬ及びフォト駆動ラインＰＤＬが配置できる。そして、ゲートラインＧＬと交差する方向に、ディスプレイ駆動のための多数のデータラインＤＬと、タッチセンシング及びフォトセンシングのための多数のリードアウトラインＲＯＬを含むことができる。
【０１６９】
図８に図示したピクセルの構造はディスプレイ駆動がＤＲＤ（Double Rate Driving）方式により遂行される場合を例示として示したものであって、ゲートラインＧＬは１つのサブピクセル行ＳＰＲ毎に２つずつ配置できる。即ち、第１サブピクセル行ＳＰＲ１を駆動するために２つの第１ゲートラインＧＬ１ａ、ＧＬ１ｂが配置され、第２サブピクセル行ＳＰＲ２を駆動するために２つの第２ゲートラインＧＬ２ａ、ＧＬ２ｂが配置できる。そして、データラインＤＬは２つのサブピクセル列毎に１つずつ配置できる。
【０１７０】
このようなピクセル構造で、フォト制御ラインＰＣＬとフォト駆動ラインＰＤＬは、サブピクセル行ＳＰＲの間でゲートラインＧＬの間に配置できる。一例に、第１ゲートラインＧＬ１ｂと第２ゲートラインＧＬ２ａとの間に第１フォト制御ラインＰＣＬ１と第１フォト駆動ラインＰＤＬ１が配置できる。そして、リードアウトラインＲＯＬは、サブピクセル列の間でデータラインＤＬが配置されない領域に配置できる。即ち、データラインＤＬとリードアウトラインＲＯＬは、互いに交互に配置できる。
【０１７１】
そして、各々のサブピクセル行ＳＰＲにはディスプレイ駆動を制御するための駆動トランジスタＤＲＴが配置できる。
【０１７２】
このような駆動トランジスタＤＲＴは、ゲートラインＧＬと電気的に連結されたゲート電極ＤＧと、データラインＤＬと電気的に連結された第１電極ＤＥ１と、ピクセル電極ＰＸＬと電気的に連結された第２電極ＤＥ２を含むことができる。ここで、駆動トランジスタＤＲＴの類型によって、第１電極ＤＥ１はソース電極またはドレイン電極でありうる。また、第２電極ＤＥ２はドレイン電極またはソース電極でありうる。
【０１７３】
また、サブピクセル行ＳＰＲにはピクセル電極ＰＸＬに印加されたデータ信号（Ｖｄａｔａ）と共通電極ＣＯＭに印加された共通電圧（Ｖｃｏｍ）によりストレージキャパシタンスＣｓｔが形成できる。そして、液晶層により、ピクセル電極ＰＸＬと共通電極ＣＯＭとの間には液晶キャパシタンスＣｌｃが形成できる。
【０１７４】
各々のフォトセンサー行ＰＳＲにはフォトセンシングのためのフォトトランジスタＰＨＴが配置できる。
【０１７５】
このようなフォトトランジスタＰＨＴは、フォト制御ラインＰＣＬと電気的に連結されたゲート電極ＰＧと、フォト駆動ラインＰＤＬと電気的に連結された第１電極ＰＥ１と、リードアウトラインＲＯＬと電気的に連結された第２電極ＰＥ２を含むことができる。ここで、フォトトランジスタＰＨＴの類型によって、第１電極ＰＥ１はソース電極またはドレイン電極でありうる。また、第２電極ＰＥ２はドレイン電極またはソース電極でありうる。
【０１７６】
また、フォトセンサー領域ＰＳＲにはフォトセンシングによるオフ電流に従う電荷を蓄積するためのフォトキャパシタＣｓが配置できる。このようなフォトキャパシタＣｓは、別途の電極に配置されたキャパシタでありえ、寄生キャパシタンスによるキャパシタを意味することもできる。
【０１７７】
フォトトランジスタＰＨＴは、フォト制御ラインＰＣＬにフォトトランジスタＰＨＴをターン−オフさせるレベルのフォト制御信号（Ｖｓｔｏ）が印加され、フォト駆動ラインＰＤＬにフォト駆動信号（Ｖｄｒｖ）が印加された状態で、外部光に反応してオフ電流を出力することができる。そして、フォトトランジスタＰＨＴと電気的に連結されたリードアウトラインＲＯＬを通じてフォトセンシングに従う信号を検出することができる。
【０１７８】
ここで、リードアウトラインＲＯＬは、タッチセンシングの機能を提供する共通電極ＣＯＭの各々と電気的に連結できる。また、リードアウトラインＲＯＬは、リードアウトラインＲＯＬと電気的に連結された共通電極ＣＯＭと対応する領域に配置された全てのフォトトランジスタＰＨＴと電気的に連結できる。
【０１７９】
即ち、共通電極ＣＯＭによりタッチセンシングがなされる領域に配置された全てのフォトトランジスタＰＨＴが出力する信号を該当共通電極ＣＯＭと電気的に連結された１つのリードアウトラインＲＯＬを通じて検出することができる。
【０１８０】
図８に図示した回路構造が１つの共通電極ＣＯＭと対応する領域と仮定する時、一例に、第２リードアウトラインＲＯＬ２が図８に図示した領域と対応する共通電極ＣＯＭと電気的に連結できる。そして、第１リードアウトラインＲＯＬ１と第３リードアウトラインＲＯＬ３は、他の共通電極ＣＯＭと電気的に連結できる。
【０１８１】
また、図８に図示した全てのフォトトランジスタＰＨＴの第２電極ＰＥ２は、第２リードアウトラインＲＯＬ２と電気的に連結できる。
【０１８２】
したがって、第２リードアウトラインＲＯＬ２を通じて該当領域で検出される信号によってタッチセンシングとフォトセンシングを遂行することができる。
【０１８３】
そして、該当領域に配置された全てのフォトトランジスタＰＨＴから出力される信号を１つのリードアウトラインＲＯＬを通じて検出するので、フォトトランジスタＰＨＴから出力される信号のサイズを増加させてフォトセンシングの性能を向上させることができる。
【０１８４】
ここで、１つの共通電極ＣＯＭと対応する領域に配置された全てのフォトトランジスタＰＨＴのうち、少なくとも１つはリードアウトラインＲＯＬと直接連結できる。
【０１８５】
または、１つの共通電極ＣＯＭと対応する領域に配置された全てのフォトトランジスタＰＨＴのうち、少なくとも１つは別途に配置された信号ラインや電極などを通じて、または既に配置された信号ラインや電極などを通じてリードアウトラインＲＯＬと電気的に連結されることもできる。
【０１８６】
図９は本発明の実施形態に従うディスプレイパネルＤＩＳＰに配置されたピクセルの平面構造の例示を示した図であって、図８に図示した第１サブピクセル行ＳＰＲ１と第１フォトセンサー行ＰＳＲ１に該当する領域を例示的に示す。
【０１８７】
図９を参照すると、リードアウトラインＲＯＬとデータラインＤＬとの間の領域毎に１つのピクセル電極ＰＸＬが配置できる。そして、このようなピクセル電極ＰＸＬと電界を形成する共通電極ＣＯＭがピクセル電極ＰＸＬと対応する領域に全体的に配置できる。このようなピクセル電極ＰＸＬと共通電極ＣＯＭは、一例に、同一な層に配置され、同一な物質からなることができる。
【０１８８】
ピクセル電極ＰＸＬは、第１コンタクトホールＣＮＴ１を通じて駆動トランジスタＤＲＴの第２電極ＤＥ２と連結できる。
【０１８９】
共通電極ＣＯＭは、場合によって、互いに異なる層に配置された物質からなるメイン共通電極ＣＯＭｍと補助共通電極ＣＯＭｓを含むことができる。一例に、メイン共通電極ＣＯＭｍはピクセル電極ＰＸＬと同一な物質からなり、補助共通電極ＣＯＭｓはゲートラインＧＬと同一な物質からなることができる。そして、メイン共通電極ＣＯＭｍと補助共通電極ＣＯＭｓは、第２コンタクトホールＣＮＴ２を通じて互いに連結できる。
【０１９０】
また、共通電極ＣＯＭは、タッチセンサーの機能を提供するので、該当領域に配置された多数のリードアウトラインＲＯＬのうち、１つのリードアウトラインＲＯＬと電気的に連結できる。一例に、共通電極ＣＯＭは、第３コンタクトホールＣＮＴ３を通じて第２リードアウトラインＲＯＬ２と連結できる。
【０１９１】
そして、リードアウトラインＲＯＬとデータラインＤＬとの間の領域には、駆動トランジスタＤＲＴとフォトトランジスタＰＨＴが配置できる。
【０１９２】
ここで、フォトトランジスタＰＨＴは、リードアウトラインＲＯＬとデータラインＤＬとの間の領域毎に配置されることもでき、２つのリードアウトラインＲＯＬの間毎に１つずつ配置されることもできる。
【０１９３】
一例に、図９に図示した例示のように、第１リードアウトラインＲＯＬ１と第１データラインＤＬ１との間にフォトトランジスタＰＨＴが配置できる。また、第２リードアウトラインＲＯＬ２と第２データラインＤＬ２との間にフォトトランジスタＰＨＴが配置できる。
【０１９４】
そして、フォトトランジスタＰＨＴが配置されない第１データラインＤＬ１と第２リードアウトラインＲＯＬ２との間の領域と第２データラインＤＬ２と第３リードアウトラインＲＯＬ３との間の領域にはフォトキャパシタＣｓが配置できる。また、場合によって、フォトキャパシタＣｓは別途の電極に配置されないこともある。即ち、フォトキャパシタＣｓは、寄生キャパシタンスにより形成されるキャパシタンスを意味することもできる。
【０１９５】
フォトトランジスタＰＨＴの第１電極ＰＥ１は、第１フォト駆動ラインＰＤＬ１と電気的に連結できる。
【０１９６】
ここで、フォトトランジスタＰＨＴの第１電極ＰＥ１と第１フォト駆動ラインＰＤＬ１は互いに異なる層に配置されることができ、コンタクトホールを通じて直接連結されるか、または連結パターンを通じて互いに連結されることもできる。
【０１９７】
一例に、第１フォト駆動ラインＰＤＬ１はゲートラインＧＬと同一な層に配置され、フォトトランジスタＰＨＴの第１電極ＰＥ１はデータラインＤＬと同一な層に配置できる。そして、第１連結パターンＣＰ１と２つの第４コンタクトホールＣＮＴ４ａ、ＣＮＴ４ｂを通じてフォトトランジスタＰＨＴの第１電極ＰＥ１と第１フォト駆動ラインＰＤＬ１が電気的に連結できる。この際、第１連結パターンＣＰ１は共通電極ＣＯＭと同一な物質からなることができる。
【０１９８】
フォトトランジスタＰＨＴの第２電極ＰＥ２は、第２リードアウトラインＲＯＬ２と電気的に連結できる。
【０１９９】
ここで、フォトトランジスタＰＨＴのうち、少なくとも１つのフォトトランジスタＰＨＴの第２電極ＰＥ２は、第１フォト制御ラインＰＣＬ１、第１フォト駆動ラインＰＤＬ１と同一な方向に配置された連結ラインＣＬにより第２リードアウトラインＲＯＬ２と電気的に連結できる。
【０２００】
一例に、第１リードアウトラインＲＯＬ１と第１データラインＤＬ１との間に配置されたフォトトランジスタＰＨＴの第２電極ＰＥ２は、共通電極ＣＯＭと同一な物質からなる第２連結パターンＣＰ２と第５コンタクトホールＣＮＴ５によりフォトキャパシタＣｓと電気的に連結される。ここで、フォトキャパシタＣｓの上部プレートが第２リードアウトラインＲＯＬ２と一体に形成されているので、フォトトランジスタＰＨＴの第２電極ＰＥ２が第２リードアウトラインＲＯＬ２と電気的に連結できる。
【０２０１】
一方、第２リードアウトラインＲＯＬ２と第２データラインＤＬ２との間に配置されたフォトトランジスタＰＨＴの第２電極ＰＥ２は、フォトキャパシタＣｓの上部プレートと電気的に連結される。そして、フォトキャパシタＣｓの上部プレートが連結ラインＣＬと電気的に連結される。ここで、フォトキャパシタＣｓの上部プレートと連結ラインＣＬは、第３連結パターンＣＰ３と２つの第６コンタクトホールＣＮＴ６ａ、ＣＮＴ６ｂにより互いに電気的に連結できる。そして、連結ラインＣＬが第２リードアウトラインＲＯＬ２と電気的に連結されることによって、第２リードアウトラインＲＯＬ２と第２データラインＤＬ２との間に配置されたフォトトランジスタＰＨＴの第２電極ＰＥ２が第２リードアウトラインＲＯＬ２に電気的に連結できる。
【０２０２】
このように、第２リードアウトラインＲＯＬ２と電気的に連結された共通電極ＣＯＭと対応する領域に配置された全てのフォトトランジスタＰＨＴの第２電極ＰＥ２が第２リードアウトラインＲＯＬ２と電気的に連結されるようにすることができる。そして、フォトセンシングによって第２リードアウトラインＲＯＬ２を通じて検出される信号のサイズを増加させてフォトセンシングの性能を向上させることができる。
【０２０３】
また、本発明の実施形態は、連結ラインＣＬを追加で配置せず、フォトトランジスタＰＨＴとリードアウトラインＲＯＬが電気的に連結できるようにすることによって、フォトセンシングの性能を向上させながら非開口部の比率を減少させることができる方案を提供する。
【０２０４】
図１０は本発明の実施形態に従うディスプレイパネルＤＩＳＰに配置されたピクセルの平面構造の他の例示を示した図であって、図９に図示した第２リードアウトラインＲＯＬ２と第３リードアウトラインＲＯＬ３との間に配置された回路素子及び信号ラインの変更構造を例示的に示す。
【０２０５】
図１０を参照すると、リードアウトラインＲＯＬとデータラインＤＬとの間毎にピクセル電極ＰＸＬが配置され、ピクセル電極ＰＸＬと対応する領域に全体的に共通電極ＣＯＭが配置できる。ここで、共通電極ＣＯＭは、図９に図示した例示のように、第２リードアウトラインＲＯＬ２と電気的に連結できる。
【０２０６】
そして、第２データラインＤＬ２と第３リードアウトラインＲＯＬ３との間にフォトトランジスタＰＨＴが配置できる。
【０２０７】
フォトトランジスタＰＨＴの第１電極ＰＥ１は、第１フォト駆動ラインＰＤＬ１と電気的に連結される。そして、フォトトランジスタＰＨＴの第２電極ＰＥ２は、第５コンタクトホールＣＮＴ５を通じて共通電極ＣＯＭと電気的に連結される。
【０２０８】
即ち、フォトトランジスタＰＨＴの第２電極ＰＥ２上に形成された第５コンタクトホールＣＮＴ５を通じて、フォトトランジスタＰＨＴの第２電極ＰＥ２が共通電極ＣＯＭと直接連結できる。また、共通電極ＣＯＭと対応する領域に配置された全てのフォトトランジスタＰＨＴの第２電極ＰＥ２が共通電極ＣＯＭと直接連結できる。または、場合によって、一部のフォトトランジスタＰＨＴの第２電極ＰＥ２は、第２リードアウトラインＲＯＬ２と直接連結されることもできる。
【０２０９】
ここで、共通電極ＣＯＭは、第２リードアウトラインＲＯＬ２と電気的に連結されているので、フォトトランジスタＰＨＴの第２電極ＰＥ２と共通電極ＣＯＭの連結により共通電極ＣＯＭと対応する領域に配置された全てのフォトトランジスタＰＨＴの第２電極ＰＥ２が第２リードアウトラインＲＯＬ２と電気的に連結できる。
【０２１０】
したがって、別途の連結ラインＣＬを配置せず、共通電極ＣＯＭと対応する領域に配置された全てのフォトトランジスタＰＨＴの第２電極ＰＥ２が第２リードアウトラインＲＯＬ２に電気的に連結されるようにすることができる。
【０２１１】
そして、連結ラインＣＬが配置されないようにすることで、非開口部の比率を減少させながらフォトトランジスタＰＨＴのフォトセンシング性能を向上させることができるようにする。
【０２１２】
また、フォトトランジスタＰＨＴの第１フォト駆動ラインＰＤＬ１の電気的な連結のためのコンタクトホールの配置を通じて非開口部の比率をより減少させることができる。
【０２１３】
一例に、フォトトランジスタＰＨＴの第１電極ＰＥ１と第１フォト駆動ラインＰＤＬ１は、第１連結パターンＣＰ１と２つの第４コンタクトホールＣＮＴ４ａ、ＣＮＴ４ｂにより電気的に連結できる。
【０２１４】
この際、２つの第４コンタクトホールＣＮＴ４ａ、ＣＮＴ４ｂのうち、第４コンタクトホールＣＮＴ４ａは第２リードアウトラインＲＯＬ２と第２データラインＤＬ２との間に配置できる。そして、第４コンタクトホールＣＮＴ４ｂは第２データラインＤＬ２と第３リードアウトラインＲＯＬ３との間に配置できる。したがって、第１連結パターンＣＰ１の一部分は第２データラインＤＬ２の一部分と重畳できる。
【０２１５】
このように、フォトトランジスタＰＨＴの第１電極ＰＥ１と第１フォト駆動ラインＰＤＬ１の電気的な連結のための２つの第４コンタクトホールＣＮＴ４ａ、ＣＮＴ４ｂが第２データラインＤＬ２の両側に配置されるようにすることによって、フォトトランジスタＰＨＴの配置とフォトトランジスタＰＨＴの連結構造によって非開口部が増加することを最小化することができる。
【０２１６】
図１１は、本発明の実施形態に従うディスプレイパネルＤＩＳＰで互いに異なる共通電極ＣＯＭと対応する領域に配置されたピクセルの平面構造の例示を示した図である。
【０２１７】
図１１を参照すると、第１共通電極ＣＯＭ１は、第１リードアウトラインＲＯＬ１と電気的に連結できる。そして、第２共通電極ＣＯＭ２は、第２リードアウトラインＲＯＬ２と電気的に連結できる。
【０２１８】
ここで、第１共通電極ＣＯＭ１と対応する領域に配置されたフォトトランジスタＰＨＴのうち、第１リードアウトラインＲＯＬ１と隣接するように配置されたフォトトランジスタＰＨＴの第２電極ＰＥ２は第１リードアウトラインＲＯＬ１と直接連結できる。また、第１リードアウトラインＲＯＬ１と直接連結したフォトトランジスタＰＨＴの第２電極ＰＥ２は第５コンタクトホールＣＮＴ５を通じて第１共通電極ＣＯＭ１と連結されることもできる。
【０２１９】
そして、第１共通電極ＣＯＭ１と対応する領域に配置された残りのフォトトランジスタＰＨＴの第２電極ＰＥ２は、第５コンタクトホールＣＮＴ５を通じて第１共通電極ＣＯＭ１と連結できる。
【０２２０】
したがって、第１共通電極ＣＯＭ１と対応する領域に配置された全てのフォトトランジスタＰＨＴの第２電極ＰＥ２は、直接または第１共通電極ＣＯＭ１により第１リードアウトラインＲＯＬ１と電気的に連結できる。
【０２２１】
ここで、第１共通電極ＣＯＭ１と対応する領域に配置された第２リードアウトラインＲＯＬ２と第３リードアウトラインＲＯＬ３は、他の共通電極ＣＯＭと連結されるので、第１共通電極ＣＯＭ１と対応する領域に配置されたフォトトランジスタＰＨＴと連結されない。そして、フォトトランジスタＰＨＴが配置された領域を迂回する構造で配置できる。
【０２２２】
第２共通電極ＣＯＭ２と対応する領域に配置されたフォトトランジスタＰＨＴのうち、第２リードアウトラインＲＯＬ２と隣接するように配置されたフォトトランジスタＰＨＴは、第２リードアウトラインＲＯＬ２と直接連結できる。そして、残りのフォトトランジスタＰＨＴの第２電極ＰＥ２は、第２共通電極ＣＯＭ２と連結されることによって、第２リードアウトラインＲＯＬ２と電気的に連結できる。
【０２２３】
同様に、第２共通電極ＣＯＭ２と対応する領域に配置された第１リードアウトラインＲＯＬ１と第３リードアウトラインＲＯＬ３は、フォトトランジスタＰＨＴが配置された領域を迂回する構造で配置できる。
【０２２４】
ここで、第２共通電極ＣＯＭ２と対応する領域に配置された第１リードアウトラインＲＯＬ１は、場合によって、第１共通電極ＣＯＭ１と対応する領域に配置された第１リードアウトラインＲＯＬ１と分離された形態に配置できる。このように、第２共通電極ＣＯＭ２と対応する領域に分離されて配置された第１リードアウトラインＲＯＬ１は、“ダミーパターン”ということもできる。そして、第２共通電極ＣＯＭ２と対応する領域に分離されて配置されたダミーパターンは、場合によって、第２共通電極ＣＯＭ２と連結されて共通電極ＣＯＭの機能をすることもできる。
【０２２５】
このように、同一な領域でのタッチセンシングとフォトセンシングを１つのリードアウトラインＲＯＬを通じて遂行することによって、ディスプレイパネルＤＩＳＰでタッチセンシング機能とフォトセンシング機能を効率よく具現することができるようにする。
【０２２６】
また、共通電極ＣＯＭにより該当共通電極ＣＯＭと対応する領域に配置されたフォトトランジスタＰＨＴが１つのリードアウトラインＲＯＬと電気的に連結されるようにすることによって、非開口部の比率を減少させながらフォトセンシングの性能を向上させることができるようにする。
【０２２７】
図１２ａと図１２ｂは本発明の実施形態に従うディスプレイパネルＤＩＳＰに配置されたフォトトランジスタＰＨＴの連結構造の断面を例示的に示した図であって、共通電極ＣＯＭを通じて連結されたフォトトランジスタＰＨＴの出力信号（Ｖｓ）が伝達される経路を例示的に示した図である。
【０２２８】
図１２ａを参照すると、第１リードアウトラインＲＯＬ１によりセンシングがなされる共通電極ＣＯＭと対応する領域を例示的に示したものであって、リードアウトラインＲＯＬとデータラインＤＬの間毎にフォトトランジスタＰＨＴが配置できる。
【０２２９】
この際、第１リードアウトラインＲＯＬ１と隣接するように配置されたフォトトランジスタＰＨＴの第２電極ＰＥ２は第１リードアウトラインＲＯＬ１と直接連結できる。
【０２３０】
また、図１２ｂに図示した例示のように、第１リードアウトラインＲＯＬ１の両側に配置された２つのフォトトランジスタＰＨＴの第２電極ＰＥ２が第１リードアウトラインＲＯＬ１と直接連結されることもできる。
【０２３１】
そして、センシング期間にフォト制御ラインＰＣＬにフォトトランジスタＰＨＴをターン−オフさせるレベルのフォト制御信号（Ｖｓｔｏ）が印加され、フォトトランジスタＰＨＴの第１電極ＰＥ１にフォト駆動信号（Ｖｄｒｖ）が印加される。
【０２３２】
ここで、ディスプレイパネルＤＩＳＰの外部から光が照射されてフォトトランジスタＰＨＴのアクティブ層ＰＡＣＴに到達すれば、フォトトランジスタＰＨＴのオフ電流が発生できる。そして、各々のフォトトランジスタＰＨＴで出力される出力信号（Ｖｓ）は共通電極ＣＯＭを通じて第１リードアウトラインＲＯＬ１に伝達できる。
【０２３３】
したがって、第１リードアウトラインＲＯＬ１により駆動される共通電極ＣＯＭと対応する領域に配置された全てのフォトトランジスタＰＨＴの出力信号（Ｖｓ）が合して第１リードアウトラインＲＯＬ１を通じて検出できる。そして、フォトセンシングによって、各々のリードアウトラインＲＯＬにより検出される信号のサイズを増加させることによって、フォトセンシングの性能を向上させることができる。
【０２３４】
一方、本発明の実施形態に従うディスプレイ装置は、ディスプレイ装置の類型によってフォトトランジスタＰＨＴが配置された基板の前面に映像を表示することもでき、フォトトランジスタＰＨＴが配置された基板の背面に映像を表示することができる。そして、フォトセンシングは映像が表示される面に照射される光に対してなされるので、ディスプレイ装置が映像を表示する面によってフォトトランジスタＰＨＴの配置構造が変わることがある。
【０２３５】
図１３は、本発明の実施形態に従うフォトトランジスタＰＨＴが配置された基板の前面に映像が表示される場合、フォトトランジスタＰＨＴの構造の例示を示した図である。即ち、フォトトランジスタＰＨＴが配置された基板の背面にバックライトから出射された光（Ｂ／Ｌ）が照射される場合を例示として示す。
【０２３６】
図１３を参照すると、基板ＳＵＢ上に駆動トランジスタＤＲＴのゲート電極ＤＧとフォトトランジスタＰＨＴのゲート電極ＰＧが配置される。そして、ゲート絶縁層ＧＩが配置される。
【０２３７】
ゲート絶縁層ＧＩ上に駆動トランジスタＤＲＴのアクティブ層ＤＡＣＴとフォトトランジスタＰＨＴのアクティブ層ＰＡＣＴが配置される。そして、駆動トランジスタＤＲＴの第１電極ＤＥ１と第２電極ＤＥ２が配置され、フォトトランジスタＰＨＴの第１電極ＰＥ１と第２電極ＰＥ２が配置される。
【０２３８】
即ち、フォトトランジスタＰＨＴは駆動トランジスタＤＲＴを形成する工程と同一な工程により形成できる。
【０２３９】
駆動トランジスタＤＲＴとフォトトランジスタＰＨＴ上に１つ以上の絶縁層が配置されることができ、一例に、第１絶縁層ＩＮＳ１、第２絶縁層ＩＮＳ２、及び第３絶縁層ＩＮＳ３が配置できる。このような絶縁層の配置構造は１つの例示であるので、これより少ないか多い絶縁層が配置することもできる。
【０２４０】
第３絶縁層ＩＮＳ３上にピクセル電極ＰＸＬと共通電極ＣＯＭが配置できる。
【０２４１】
ここで、ピクセル電極ＰＸＬは絶縁層に形成されたコンタクトホールを通じて駆動トランジスタＤＲＴの第２電極ＤＥ２と電気的に連結できる。また、共通電極ＣＯＭは絶縁層に形成されたコンタクトホールを通じてフォトトランジスタＰＨＴの第２電極ＰＥ２と電気的に連結できる。
【０２４２】
したがって、駆動トランジスタＤＲＴはデータラインＤＬを通じて駆動トランジスタＤＲＴの第１電極ＤＥ１に印加されるデータ信号（Ｖｄａｔａ）がピクセル電極ＰＸＬに印加されるようにすることができる。
【０２４３】
そして、フォトトランジスタＰＨＴはフォトトランジスタＰＨＴのゲート電極ＰＧにフォト制御信号（Ｖｓｔｏ）が印加され、フォトトランジスタＰＨＴの第１電極ＰＥ１にフォト駆動電圧（Ｖｄｒｖ）が印加された状態で、フォトセンシングによって共通電極ＣＯＭと電気的に連結されたリードアウトラインＲＯＬに出力信号（Ｖｓ）が出力されるようにすることができる。
【０２４４】
このように、ディスプレイ装置がフォトトランジスタＰＨＴが配置された基板の前面に映像を表示する場合、駆動トランジスタＤＲＴを形成する工程を通じてフォトトランジスタＰＨＴを容易に形成することができる。
【０２４５】
一方、ディスプレイ装置がフォトトランジスタＰＨＴが配置された基板の背面に映像を表示する場合には、フォトトランジスタＰＨＴのアクティブ層ＰＡＣＴが外部光に露出しないことがあるので、フォトセンシングがなされないことがある。
【０２４６】
本発明の実施形態は、ディスプレイ装置がフォトトランジスタＰＨＴが配置された基板の背面に映像を表示する場合、フォトセンシングの性能を改善することができるフォトトランジスタＰＨＴの構造を提供する。
【０２４７】
図１４は、本発明の実施形態に従うフォトトランジスタＰＨＴが配置された基板の背面に映像が表示される場合、フォトトランジスタＰＨＴの構造の例示を示した図である。即ち、フォトトランジスタＰＨＴが配置された基板の前面にバックライトから出射された光（Ｂ／Ｌ）が照射される場合を例示として示す。
【０２４８】
図１４を参照すると、基板ＳＵＢ上に駆動トランジスタＤＲＴのゲート電極ＤＧが配置される。そして、基板ＳＵＢ上にフォトトランジスタＰＨＴの第１電極ＰＥ１と第２電極ＰＥ２が配置できる。
【０２４９】
ここで、フォトトランジスタＰＨＴの第１電極ＰＥ１と第２電極ＰＥ２は駆動トランジスタＤＲＴのゲート電極ＤＧと同一な物質からなることができる。即ち、フォトトランジスタＰＨＴの第１電極ＰＥ１と第２電極ＰＥ２は駆動トランジスタＤＲＴのゲート電極ＤＧを形成する工程により形成できる。
【０２５０】
そして、フォトトランジスタＰＨＴの第１電極ＰＥ１と第２電極ＰＥ２上にフォトトランジスタＰＨＴのアクティブ層ＰＡＣＴが配置できる。
【０２５１】
駆動トランジスタＤＲＴのゲート電極ＤＧとフォトトランジスタＰＨＴのアクティブ層ＰＡＣＴ上にゲート絶縁層ＧＩが配置される。
【０２５２】
ゲート絶縁層ＧＩ上に駆動トランジスタＤＲＴのアクティブ層ＤＡＣＴが配置され、駆動トランジスタＤＲＴのアクティブ層ＤＡＣＴ上に駆動トランジスタＤＲＴの第１電極ＤＥ１と第２電極ＤＥ２が配置される。また、ゲート絶縁層ＧＩ上にフォトトランジスタＰＨＴのゲート電極ＰＧが配置される。
【０２５３】
ここで、フォトトランジスタＰＨＴのゲート電極ＰＧは駆動トランジスタＤＲＴの第１電極ＤＥ１及び第２電極ＤＥ２と同一な物質からなることができる。即ち、フォトトランジスタＰＨＴのゲート電極ＰＧは駆動トランジスタＤＲＴの第１電極ＤＥ１と第２電極ＤＥ２を形成する工程により形成できる。
【０２５４】
駆動トランジスタＤＲＴの第１電極ＤＥ１、第２電極ＤＥ２とフォトトランジスタＰＨＴのゲート電極ＰＧ上に第１絶縁層ＩＮＳ１、第２絶縁層ＩＮＳ２及び第３絶縁層ＩＮＳ３が配置できる。
【０２５５】
そして、駆動トランジスタＤＲＴの第２電極ＰＥ２は絶縁層に形成されたコンタクトホールによりピクセル電極ＰＸＬと電気的に連結できる。
【０２５６】
また、フォトトランジスタＰＨＴの第２電極ＰＥ２は絶縁層に形成されたコンタクトホールにより共通電極ＣＯＭと電気的に連結できる。ここで、フォトトランジスタＰＨＴの第２電極ＰＥ２と共通電極ＣＯＭの連結のためのコンタクトホールはゲート絶縁層ＧＩまで形成できる。
【０２５７】
このように、フォトトランジスタＰＨＴのアクティブ層ＰＡＣＴがフォトトランジスタＰＨＴのゲート電極ＰＧの下部に配置されるようにすることによって、映像が表示される面に照射される光に反応してフォトセンシングがなされるようにすることができる。
【０２５８】
そして、バックライトから出射された光（Ｂ／Ｌ）が基板ＳＵＢの前面に入射されることによって、バックライトから出射された光（Ｂ／Ｌ）による駆動トランジスタＤＲＴやフォトトランジスタＰＨＴのオフ電流防止のための構造が追加できる。
【０２５９】
一例に、Ｘ部分に図示した例示のように、ピクセル電極ＰＸＬの一部分が駆動トランジスタＤＲＴのアクティブ層ＤＡＣＴと重畳するように配置できる。また、Ｘ’部分に図示した例示のように、共通電極ＣＯＭの一部分がフォトトランジスタＰＨＴのアクティブ層ＰＡＣＴと重畳するように配置できる。
【０２６０】
即ち、バックライトから出射された光（Ｂ／Ｌ）が入射される方向に位置したピクセル電極ＰＸＬや共通電極ＣＯＭの一部分が駆動トランジスタＤＲＴやフォトトランジスタＰＨＴと重畳するようにすることによって、バックライトから出射された光（Ｂ／Ｌ）による駆動トランジスタＤＲＴやフォトトランジスタＰＨＴのオフ電流が発生することを防止することができる。
【０２６１】
図１５は、図１４に図示したフォトトランジスタＰＨＴを形成する工程の例示を示した図である。
【０２６２】
図１５を参照すると、基板ＳＵＢ上に同一な物質で駆動トランジスタＤＲＴのゲート電極ＤＧとフォトトランジスタＰＨＴの第１電極ＰＥ１及び第２電極ＰＥ２を形成する。そして、フォトトランジスタＰＨＴの第１電極ＰＥ１と第２電極ＰＥ２の一部の面にｎ＋（または、ｐ＋）ドーピングを遂行する。
【０２６３】
フォトトランジスタＰＨＴの第１電極ＰＥ１と第２電極ＰＥ２上にｎ＋（または、ｐ＋）ドーピングがなされた面と重畳するようにフォトトランジスタＰＨＴのアクティブ層ＰＡＣＴを形成する。以後、ゲート絶縁層ＧＩを蒸着する。
【０２６４】
ゲート絶縁層ＧＩ上に駆動トランジスタＤＲＴのアクティブ層ＤＡＣＴを形成し、駆動トランジスタＤＲＴのアクティブ層ＤＡＣＴ上にｎ＋（または、ｐ＋）ドーピングを遂行する。
【０２６５】
そして、駆動トランジスタＤＲＴのアクティブ層ＤＡＣＴ上に駆動トランジスタＤＲＴの第１電極ＤＥ１と第２電極ＤＥ２を形成する。また、駆動トランジスタＤＲＴの第１電極ＤＥ１及び第２電極ＤＥ２と同一な物質でフォトトランジスタＰＨＴのゲート電極ＰＧを形成する。
【０２６６】
このように、フォトトランジスタＰＨＴの電極を形成する順序を変更することによって、駆動トランジスタＤＲＴを形成する工程を通じてフォトトランジスタＰＨＴを容易に配置し、フォトトランジスタＰＨＴが配置された基板の背面に入射される外部光をセンシングできるようにする。
【０２６７】
また、本発明の実施形態は、フォトトランジスタＰＨＴが配置された基板の背面でフォトセンシングがなされる場合、フォトセンシングの性能をより一層改善するために、フォトトランジスタＰＨＴのアクティブ層ＰＡＣＴがフォトトランジスタＰＨＴの最下部に配置されることもできる。
【０２６８】
図１６は、本発明の実施形態に従うフォトトランジスタＰＨＴが配置された基板の背面に映像が表示される場合、フォトトランジスタＰＨＴの構造の他の例示を示した図である。
【０２６９】
図１６を参照すると、基板ＳＵＢに半導体物質層ＳＥＭＩとフォトトランジスタＰＨＴのアクティブ層ＰＡＣＴが配置できる。そして、半導体物質層ＳＥＭＩ上に駆動トランジスタＤＲＴのゲート電極ＰＧが配置される。また、フォトトランジスタＰＨＴのアクティブ層ＰＡＣＴ上にフォトトランジスタＰＨＴの第１電極ＰＥ１と第２電極ＰＥ２が配置できる。
【０２７０】
ここで、半導体物質層ＳＥＭＩはフォトトランジスタＰＨＴのアクティブ層ＰＡＣＴを配置する過程で配置できる。そして、フォトトランジスタＰＨＴの第１電極ＰＥ１と第２電極ＰＥ２は駆動トランジスタＤＲＴのゲート電極ＤＧと同一な物質からなることができる。
【０２７１】
駆動トランジスタＤＲＴのゲート電極ＤＧとフォトトランジスタＰＨＴの第１電極ＰＥ１及び第２電極ＰＥ２上にゲート絶縁層ＧＩが配置できる。
【０２７２】
そして、ゲート絶縁層ＧＩ上に駆動トランジスタＤＲＴのアクティブ層ＤＡＣＴが配置され、駆動トランジスタＤＲＴのアクティブ層ＤＡＣＴ上に駆動トランジスタＤＲＴの第１電極ＤＥ１と第２電極ＤＥ２が配置できる。
【０２７３】
また、ゲート絶縁層ＧＩ上にフォトトランジスタＰＨＴのゲート電極ＰＧが配置できる。即ち、フォトトランジスタＰＨＴの第１電極ＰＥ１と第２電極ＰＥ２は、フォトトランジスタＰＨＴのアクティブ層ＰＡＣＴとゲート電極ＰＧとの間に配置できる。
【０２７４】
ここで、フォトトランジスタＰＨＴのゲート電極ＰＧは駆動トランジスタＤＲＴの第１電極ＤＥ１及び第２電極ＤＥ２と同一な物質からなることができる。
【０２７５】
駆動トランジスタＤＲＴとフォトトランジスタＰＨＴ上に第１絶縁層ＩＮＳ１、第２絶縁層ＩＮＳ２、及び第３絶縁層ＩＮＳ３が配置できる。そして、駆動トランジスタＤＲＴの第２電極ＤＥ２は絶縁層に形成されたコンタクトホールを通じてピクセル電極ＰＸＬと電気的に連結され、フォトトランジスタＰＨＴの第２電極ＰＥ２は絶縁層に形成されたホールを通じて共通電極ＣＯＭと電気的に連結できる。
【０２７６】
したがって、フォトトランジスタＰＨＴのアクティブ層ＰＡＣＴがフォトトランジスタＰＨＴの最下部に配置されるようにすることによって、フォトトランジスタＰＨＴのアクティブ層ＰＡＣＴが映像が表示される面に照射される光に容易に反応できるようにする。これによって、ディスプレイパネルＤＩＳＰがフォトトランジスタＰＨＴが配置された基板の背面に映像を表示する構造で、フォトセンシングの性能をより向上させることができる。
【０２７７】
図１７は、図１６に図示したフォトトランジスタＰＨＴを形成する工程の例示を示した図である。
【０２７８】
図１７を参照すると、基板ＳＵＢ上にフォトトランジスタＰＨＴのアクティブ層ＰＡＣＴを構成するための物質を配置し、ｎ＋（または、ｐ＋）ドーピングを遂行する。
【０２７９】
そして、駆動トランジスタＤＲＴのゲート電極ＤＧを構成する物質を配置し、ハーフトーンマスクを適用して、駆動トランジスタＤＲＴのゲート電極ＤＧとフォトトランジスタＰＨＴのアクティブ層ＰＡＣＴ、第１電極ＰＥ１、及び第２電極ＰＥ２を形成することができる。
【０２８０】
即ち、ハーフトーンマスクを適用してフォトトランジスタＰＨＴのアクティブ層ＰＡＣＴを形成することによって、駆動トランジスタＤＲＴのゲート電極ＤＧの下部に半導体物質層ＳＥＭＩが配置できる。
【０２８１】
以後、ゲート絶縁層ＧＩを蒸着し、ゲート絶縁層ＧＩ上に駆動トランジスタＤＲＴのアクティブ層ＤＡＣＴを形成する。そして、駆動トランジスタＤＲＴのアクティブ層ＤＡＣＴにｎ＋（または、ｐ＋）ドーピングを遂行する。
【０２８２】
駆動トランジスタＤＲＴのアクティブ層ＤＡＣＴ上に駆動トランジスタＤＲＴの第１電極ＤＥ１と第２電極ＤＥ２を形成し、同時にフォトトランジスタＰＨＴのゲート電極ＰＧを形成する。即ち、駆動トランジスタＤＲＴの第１電極ＤＥ１及び第２電極ＤＥ２と同一な物質でフォトトランジスタＰＨＴのゲート電極ＰＧを形成することができる。
【０２８３】
このように、フォトトランジスタＰＨＴのアクティブ層ＰＡＣＴを形成する工程を先に遂行することによって、フォトトランジスタＰＨＴのアクティブ層ＰＡＣＴがフォトトランジスタＰＨＴの最下部に配置されるようにする。
【０２８４】
したがって、フォトトランジスタＰＨＴが配置された基板の背面に映像が表示される構造で、映像が表示される面に照射される光に対するフォトトランジスタＰＨＴのオフ電流を高めてフォトセンシングの性能を向上させることができる。
【０２８５】
一方、前述した例示のように、共通電極ＣＯＭとピクセル電極ＰＸＬが同一な層に配置される場合、共通電極ＣＯＭと駆動トランジスタＤＲＴの第２電極ＤＥ２との間にキャパシタンスを形成してくれる面積が不足することがある。したがって、本発明の実施形態は、共通電極ＣＯＭ及びピクセル電極ＰＸＬと異なる層に配置される物質を用いて共通電極ＣＯＭを追加で構成することによって、データ信号（Ｖｄａｔａ）が印加される駆動トランジスタＤＲＴの第２電極ＤＥ２と共通電極ＣＯＭとの間にキャパシタンスを形成することができる方案を提供する。
【０２８６】
図１８は、本発明の実施形態に従うディスプレイパネルＤＩＳＰに配置された共通電極ＣＯＭの構造の例示を示した図である。
【０２８７】
図１８を参照すると、１つの共通電極ＣＯＭと対応する領域、即ち、１つのタッチブロックを例示として示したものであって、タッチブロックに配置された共通電極ＣＯＭが第２リードアウトラインＲＯＬ２と第３コンタクトホールＣＮＴ３を通じて電気的に連結された構造を例示として示す。
【０２８８】
このようなタッチブロックで、一方向にゲートラインＧＬ、フォト制御ラインＰＣＬ、及びフォト駆動ラインＰＤＬが配置できる。このようなゲートラインＧＬ、フォト制御ラインＰＣＬ、及びフォト駆動ラインＰＤＬは同一な層に配置され、同一な物質からなることができる。
【０２８９】
そして、ゲートラインＧＬと交差する方向にデータラインＤＬとリードアウトラインＲＯＬが配置できる。このようなデータラインＤＬとリードアウトラインＲＯＬは同一な層に配置され、同一な物質からなることができる。
【０２９０】
各々のサブピクセルＳＰ毎にピクセル電極ＰＸＬが配置され、ピクセル電極ＰＸＬと同一な層に共通電極ＣＯＭが配置できる。このようなピクセル電極ＰＸＬは、駆動トランジスタＤＲＴの第２電極ＤＥ２と第１コンタクトホールＣＮＴ１を通じて電気的に連結できる。
【０２９１】
そして、タッチブロックに配置された２つ以上のフォトトランジスタＰＨＴの第１電極ＰＥ１は第４コンタクトホールＣＮＴ４ａ、ＣＮＴ４ｂを通じてフォト駆動ラインＰＤＬと電気的に連結され、フォトトランジスタＰＨＴの第２電極ＰＥ２は第５コンタクトホールＣＮＴ５を通じて共通電極ＣＯＭと電気的に連結できる。
【０２９２】
ここで、共通電極ＣＯＭは、ピクセル電極ＰＸＬと同一な層に配置されるメイン共通電極ＣＯＭｍと、ピクセル電極ＰＸＬと異なる層に配置される補助共通電極ＣＯＭｓを含むことができる。そして、補助共通電極ＣＯＭｓは、一例に、ゲートラインＧＬが配置される層に配置されることができ、ゲートラインＧＬと同一な物質からなることができる。
【０２９３】
このような補助共通電極ＣＯＭｓは、一例に、各々のサブピクセルＳＰに四角形形態に配置され、同一なタッチブロック内で隣接したサブピクセルＳＰに配置された補助共通電極ＣＯＭｓが互いに連結できる。
【０２９４】
また、補助共通電極ＣＯＭｓは、第２コンタクトホールＣＮＴ２を通じてメイン共通電極ＣＯＭｍと電気的に連結できる。
【０２９５】
そして、補助共通電極ＣＯＭｓは、一部分が駆動トランジスタＤＲＴの第２電極ＤＥ２と重畳するように配置できる。
【０２９６】
即ち、補助共通電極ＣＯＭｓがデータ信号（Ｖｄａｔａ）が印加される駆動トランジスタＤＲＴの第２電極ＤＥ２と重畳するように配置されることによって、共通電極ＣＯＭと駆動トランジスタＤＲＴの第２電極ＤＥ２との間にキャパシタンスが形成されるようにすることができる。
【０２９７】
このように、メイン共通電極ＣＯＭｍと異なる層に補助共通電極ＣＯＭｓを配置することによって、メイン共通電極ＣＯＭｍがピクセル電極ＰＸＬと同一な層に配置される場合にも共通電極ＣＯＭと駆動トランジスタＤＲＴの第２電極ＤＥ２の間にキャパシタンスが形成される面積を確保できるようにする。
【０２９８】
この際、隣接したサブピクセルＳＰに配置された補助共通電極ＣＯＭｓが互いに連結されて配置されることによって、Ｙ部分に図示した例示のように、補助共通電極ＣＯＭｓの一部分がデータラインＤＬと重畳して寄生キャパシタンスが形成できる。そして、寄生キャパシタンスによってデータラインＤＬに印加されるデータ信号（Ｖｄａｔａ）が遅延されるか、または共通電極ＣＯＭを通じて検出される信号の敏感度が低下することがある。
【０２９９】
本発明の実施形態は、補助共通電極ＣＯＭｓとデータラインＤＬとの間に形成される寄生キャパシタンスを最小化することによって、データ信号（Ｖｄａｔａ）の遅延とセンシング敏感度の低下が防止できる方案を提供する。
【０３００】
図１９は、本発明の実施形態に従うディスプレイパネルＤＩＳＰに配置された共通電極ＣＯＭの構造の他の例示を示した図である。
【０３０１】
図１９を参照すると、１つの共通電極ＣＯＭと対応する領域を例示として示したものであって、一方向にゲートラインＧＬ、フォト制御ラインＰＣＬ、及びフォト駆動ラインＰＤＬが配置され、これと交差する方向にデータラインＤＬとリードアウトラインＲＯＬが配置できる。
【０３０２】
そして、ピクセル電極ＰＸＬとメイン共通電極ＣＯＭｍが同一な層に配置され、ゲートラインＧＬが配置される層に補助共通電極ＣＯＭｓが配置できる。メイン共通電極ＣＯＭｍと補助共通電極ＣＯＭｓは、第２コンタクトホールＣＮＴ２を通じて互いに電気的に連結できる。
【０３０３】
このような補助共通電極ＣＯＭｓは、一例に、リードアウトラインＲＯＬを中心に配置された２つのサブピクセルＳＰに四角形形態に配置できる。
【０３０４】
ここで、タッチブロックの境界に該当するサブピクセルＳＰに配置された補助共通電極ＣＯＭｓは、図示した例示のように、“コ”形態に配置されることもできるが、場合によって、１つのサブピクセルＳＰに四角形形態に配置されることもできる。
【０３０５】
そして、隣接したサブピクセルＳＰに配置された補助共通電極ＣＯＭｓは、互いに連結できる。
【０３０６】
この際、隣接したサブピクセルＳＰに配置された補助共通電極ＣＯＭｓは、Ｙ’部分に図示した例示のように、１つの連結部により連結できる。即ち、隣接したサブピクセルＳＰに配置された補助共通電極ＣＯＭｓの連結のための部分を最小化することによって、補助共通電極ＣＯＭｓとデータラインＤＬとの間に形成される寄生キャパシタンスを最小化することができる。
【０３０７】
また、リードアウトラインＲＯＬの両側には、リードアウトラインＲＯＬが配置された方向と同一な方向に配置される補助共通電極ＣＯＭｓが配置されないことがある。即ち、隣接したサブピクセルＳＰで互いに反対側に位置する駆動トランジスタＤＲＴの第２電極ＰＥ２と重畳する部分を連結するための補助共通電極ＣＯＭｓの部分を最小化することによって、サブピクセルＳＰの透過率を高めることができる。
【０３０８】
このように、隣接したサブピクセルＳＰに配置される補助共通電極ＣＯＭｓの連結のための部分を最小化することによって、共通電極ＣＯＭとデータラインＤＬとの間の寄生キャパシタンスを低減させ、サブピクセルＳＰの透過率を高めることができる。
【０３０９】
また、本発明の実施形態は、補助共通電極ＣＯＭｓがデータラインＤＬと重畳しないように配置されるようにすることによって、共通電極ＣＯＭとデータラインＤＬとの間の寄生キャパシタンスをより低減させることができるようにする。
【０３１０】
図２０は、本発明の実施形態に従うディスプレイパネルＤＩＳＰに配置された共通電極ＣＯＭの構造の他の例示を示した図である。
【０３１１】
図２０を参照すると、１つの共通電極ＣＯＭと対応する領域で、ゲートラインＧＬ、フォト制御ラインＰＣＬ、及びフォト駆動ラインＰＤＬが一方向に配置され、ゲートラインＧＬと交差する方向にデータラインＤＬ及びリードアウトラインＲＯＬが配置される。
【０３１２】
そして、ピクセル電極ＰＸＬとメイン共通電極ＣＯＭｍが同一な層に配置され、メイン共通電極ＣＯＭｍと電気的に連結される補助共通電極ＣＯＭｓがゲートラインＧＬと同一な層に配置できる。
【０３１３】
このような補助共通電極ＣＯＭｓは、２つのサブピクセルＳＰに四角形形態に配置できる。また、タッチブロックの境界に該当するサブピクセルＳＰで、補助共通電極ＣＯＭｓは、図示した例示のように、“コ”形態に配置できる。または、場合によって、タッチブロックの境界で、補助共通電極ＣＯＭｓは、１つのサブピクセルＳＰに四角形形態に配置できる。
【０３１４】
ここで、データラインＤＬを基準に隣接したサブピクセルＳＰに配置された補助共通電極ＣＯＭｓは互いに分離された構造で配置できる。即ち、Ｙ”部分に図示した例示のように、補助共通電極ＣＯＭｓがデータラインＤＬと重畳しないように配置できる。
【０３１５】
そして、四角形単位で分離されて配置された補助共通電極ＣＯＭｓは、第２コンタクトホールＣＮＴ２を通じてメイン共通電極ＣＯＭｍと電気的に連結できる。
【０３１６】
したがって、１つのタッチブロックに配置された補助共通電極ＣＯＭｓがメイン共通電極ＣＯＭｍと電気的に連結され、補助共通電極ＣＯＭｓとデータラインＤＬが重畳しないようにすることで、補助共通電極ＣＯＭｓとデータラインＤＬとの間に寄生キャパシタンスが形成されることを防止することができる。
【０３１７】
また、リードアウトラインＲＯＬの両側には、リードアウトラインＲＯＬが配置された方向と同一な方向に配置される補助共通電極ＣＯＭｓが配置されないようにすることで、サブピクセルＳＰの透過率を高めることができる。
【０３１８】
このように、タッチブロックに配置された補助共通電極ＣＯＭｓとデータラインＤＬとの間の寄生キャパシタンスを最小することで、寄生キャパシタンスによるデータ信号（Ｖｄａｔａ）の遅延を防止しながら、共通電極ＣＯＭを用いたセンシングの敏感度が改善できるようにする。
【０３１９】
図２１から図２４は、本発明の実施形態に従うディスプレイ装置が提供する多様な種類の光基盤入力環境を説明するための図である。
【０３２０】
本発明の実施形態に従うディスプレイ装置は、ユーザが指やペンなどを用いて多様な種類のタッチ入力環境を提供することができる。
【０３２１】
ここで、多様な種類のタッチ入力は、例えば、ユーザが１地点を短く１回クリックして認識されるワンクリック、ユーザが１地点を２回連続で短くクリックして認識されるダブルクリック、ユーザが１地点を長く押さえて認識されるホールディングタッチ（ホールディング入力）、及びユーザが２地点の間を続いてタッチするドラッグなどを含むことができる。
【０３２２】
本発明の実施形態に従うディスプレイ装置は多様な種類のタッチ入力環境の提供によって多様な種類のタッチ入力に合う多様な応用処理を提供することができる。ここで、例えば、多様な応用処理は、画面上で該当地点でのオブジェクト（例：アイコン、ボタン、テキスト、イメージ、コンテンツ、ＵＲＬアドレス、キーボードボタンなど）を選択する選択処理を含むか、または筆記やスローイングする処理を含むことができ、タッチ入力された地点とリンクされる応用プログラム（アプリケーション）などの実行処理を含むことができる。
【０３２３】
一方、本発明の実施形態に従うディスプレイ装置は、多様な種類のタッチ入力環境と対応する多様な種類の光基盤入力環境を同一に提供することができる。また、本発明の実施形態に従うディスプレイ装置は、多様な種類のタッチ入力に従う多様な応用処理を提供したことと同様に、多様な種類の光基盤入力に従う多様な応用処理を同一に提供することができる。
【０３２４】
ユーザはビーム発生器ＢＧのボタンを押さえてディスプレイパネルＤＩＳＰ上の所望の地点に光を照射することができる。
【０３２５】
ユーザはビーム発生器ＢＧのボタンを押さえる回数を調節して光照射回数を調節するか、またはビーム発生器ＢＧのボタンを長く押さえ短く押さえる時間（ホールディング時間）を調節して光を持続的に照射する時間を調節するか、またはビーム発生器ＢＧのボタンを押さえている状態でビーム発生器ＢＧを動かせて光が照射される位置を移動させることができる。このように、ユーザはビーム発生器ＢＧの操作を多角化して光基盤入力の種類を多角化することができる。
【０３２６】
これによって、光照射された位置のフォトトランジスタＰＨＴの光反応回数、光反応時間などが変わることによって、フォトトランジスタＰＨＴで流れる漏洩電流（オフ電流）の電流量が変わるか、フォトトランジスタＰＨＴで漏洩電流（オフ電流）が持続的に流れる回数や時間が変わるか、または光反応を行うフォトトランジスタＰＨＴが移動することによって、マルチセンシング回路ＭＳＣでのセンシング値（Ｖｏｕｔ）のパターンが変わることがある。マルチコントローラＭＣＴＲはマルチセンシング回路ＭＳＣでのセンシング値（Ｖｏｕｔ）のパターン変化を感知して光基盤入力の種類を区分することができる。
【０３２７】
本発明の実施形態に従うディスプレイ装置のマルチセンシング回路ＭＳＣは、照射光に反応したフォトトランジスタＰＨＴから出力された信号（Ｖｓ）を共通電極ＣＯＭからセンシング信号（ＲＯＳ）として検出してセンシングデータを生成する。マルチコントローラＭＣＴＲはマルチセンシング回路ＭＳＣから出力されたセンシングデータに基づいて、ディスプレイパネルＤＩＳＰでの光照射座標（フォト座標）を検出することができる。
【０３２８】
また、マルチコントローラＭＣＴＲは、マルチセンシング回路ＭＳＣから出力されたセンシングデータに基づいて、光照射座標（フォト座標）の検出と共に、光基盤入力の検出時点を認識することができ、これに基づいて、同一な光照射座標（フォト座標）が持続的に検出される時間を検出持続時間（ＣＳＴ）として算出することができる。
【０３２９】
ここで、光基盤入力の検出時点は検出開始時点（Ｔｓ）と検出終了時点（Ｔｅ）を含むことができる。検出開始時点（Ｔｓ）と検出終了時点（Ｔｅ）は、光照射座標（フォト座標）が持続的に検出される検出持続時間（ＣＳＴ）の開始と終わりの時点である。検出持続時間（ＣＳＴ）はユーザがビーム発生器ＢＧを用いて同一な地点に光を持続的に照射した時間と対応する。
【０３３０】
以下では、多様な種類のタッチ入力（ワンクリック、ダブルクリック、ホールディングタッチ、ドラッグなど）と対応する多様な種類の光基盤入力とその認識方法を説明する。
【０３３１】
図２１を参照すると、ユーザは、Ｔｓ１時点にビーム発生器ＢＧのボタンを短く１回押さえてディスプレイパネルＤＩＳＰ上のＰ１地点に光を短く１回照射する光照射アクションを取ることによって、ユーザはワンクリックタイプの第１光基盤入力（ＰＩＮ１）をすることができる。
【０３３２】
以後、ユーザは、Ｔｓ２時点にビーム発生器ＢＧのボタンをもう一度短く押さえてディスプレイパネルＤＩＳＰ上のＰ１地点に光をまた短く１回照射する光照射アクションを取ることによって、ユーザはワンクリックタイプの第２光基盤入力（ＰＩＮ２）をすることができる。
【０３３３】
マルチコントローラＭＣＴＲは、センシングデータに基づいて、Ｔｓ１時点（開始時点）にＰ１地点を光照射座標として検出して第１光基盤入力ＰＩＮ１を認識し、Ｔｓ１時点（開始時点）から一定時間（ＩＮＴ１）後のＴｓ２時点にＰ１地点（または、他の地点）を光照射座標として検出して第２光基盤入力ＰＩＮ２を認識する。
【０３３４】
このような一次的な認識結果に加えて、光基盤入力種類を区分するために、マルチコントローラＭＣＴＲは、Ｔｓ１時点とＴｓ２時点の間隔（ＩＮＴ１）を予め定まった間隔しきい値（ＩＮＴ＿ＴＨ）と比較し、第１光基盤入力ＰＩＮ１の検出持続時間（ＣＳＴ１）と第２光基盤入力ＰＩＮ２の検出持続時間（ＣＳＴ２）の各々を臨界検出持続時間（ＣＳＴ＿ＴＨ）と比較する。但し、図２１の例示では、第１光基盤入力ＰＩＮ１の検出持続時間（ＣＳＴ１）の開始時点（Ｔｓ１）と終了時点（Ｔｅ１）はほぼ同一であると見なす。第２光基盤入力ＰＩＮ２の検出持続時間（ＣＳＴ２）の開始時点（Ｔｓ２）と終了時点（Ｔｅ２）はほぼ同一であると見なす。
【０３３５】
図２１に例示されたユーザの光照射アクションによれば、Ｔｓ１時点とＴｓ２時点の間隔（ＩＮＴ１）が間隔しきい値（ＩＮＴ＿ＴＨ）より長い。そして、第１光基盤入力ＰＩＮ１の検出持続時間（ＣＳＴ１）と第２光基盤入力ＰＩＮ２の検出持続時間（ＣＳＴ２）の各々が臨界検出持続時間（ＣＳＴ＿ＴＨ）より短い。
【０３３６】
したがって、マルチコントローラＭＣＴＲは、第１光基盤入力ＰＩＮ１と第２光基盤入力ＰＩＮ２の各々を互いに区別されるワンクリック（One Click）タイプの光基盤入力に区分して認識する。
【０３３７】
図２２を参照すると、ユーザは、ビーム発生器ＢＧのボタンを速い速度で２回短く押さえてディスプレイパネルＤＩＳＰ上のＰ１地点に光を短く２回連続で照射する光照射アクションを取ることによって、ユーザはダブルクリックタイプの光基盤入力をすることができる。
【０３３８】
マルチコントローラＭＣＴＲは、センシングデータに基づいて、Ｔｓ１時点にＰ１地点を光照射座標として検出して第１光基盤入力ＰＩＮ１を認識し、Ｔｓ１時点から一定時間（ＩＮＴ２）後のＴｓ２時点にＰ１地点を光照射座標として検出して第２光基盤入力ＰＩＮ２を認識する。
【０３３９】
このような一次的な認識結果に加えて、光基盤入力種類を区分するために、マルチコントローラＭＣＴＲは、Ｔｓ１時点とＴｓ２時点の間隔（ＩＮＴ２）を予め定まった間隔しきい値（ＩＮＴ＿ＴＨ）と比較し、第１光基盤入力ＰＩＮ１の検出持続時間（ＣＳＴ１）と第２光基盤入力ＰＩＮ２の検出持続時間（ＣＳＴ２）の各々を臨界検出持続時間（ＣＳＴ＿ＴＨ）と比較する。但し、図２２の例示では、第１光基盤入力ＰＩＮ１の検出持続時間（ＣＳＴ１）の開始時点（Ｔｓ１）と終了時点（Ｔｅ１）はほぼ同一であると見なす。第２光基盤入力ＰＩＮ２の検出持続時間（ＣＳＴ２）の開始時点（Ｔｓ２）と終了時点（Ｔｅ２）はほぼ同一であると見なす。
【０３４０】
図２２に例示されたユーザの光照射アクションによれば、Ｔｓ１時点とＴｓ２時点の間隔（ＩＮＴ２）が間隔しきい値（ＩＮＴ＿ＴＨ）以下である。そして、第１光基盤入力ＰＩＮ１の検出持続時間（ＣＳＴ１）と第２光基盤入力ＰＩＮ２の検出持続時間（ＣＳＴ２）の各々が臨界検出持続時間（ＣＳＴ＿ＴＨ）より短い。
【０３４１】
したがって、マルチコントローラＭＣＴＲは、第１光基盤入力ＰＩＮ１と第２光基盤入力ＰＩＮ２を含んで、ダブルクリック（Double Click）タイプに該当する１つの光基盤入力として認識する。
【０３４２】
図２３を参照すると、ユーザは、ビーム発生器ＢＧのボタンを長くずっと押さえてディスプレイパネルＤＩＳＰ上のＰ１地点に光を一定時間以上の間照射する光照射アクションを取ることによって、ユーザはホールドタッチタイプの光基盤入力をすることができる。
【０３４３】
マルチコントローラＭＣＴＲは、センシングデータに基づいて、Ｔｓ１時点からＴｅ１時点までの検出持続時間（ＣＳＴ１）の間、Ｐ１地点を光照射座標として持続的に検出して第１光基盤入力ＰＩＮ１を認識する。
【０３４４】
このような一次的な認識結果に加えて、光基盤入力種類を区分するために、マルチコントローラＭＣＴＲは、第１光基盤入力ＰＩＮ１の検出持続時間（ＣＳＴ１）と臨界検出持続時間（ＣＳＴ＿ＴＨ）と比較する。
【０３４５】
図２３に例示されたユーザの光照射アクションによれば、第１光基盤入力ＰＩＮ１の検出持続時間（ＣＳＴ１）が臨界検出持続時間（ＣＳＴ＿ＴＨ）より長い。
【０３４６】
したがって、マルチコントローラＭＣＴＲは、第１光基盤入力ＰＩＮ１をホールディングタッチ（Holding Touch）タイプの光基盤入力として認識する。
【０３４７】
図２４を参照すると、ユーザは、ビーム発生器ＢＧのボタンを長くずっと押さえながらディスプレイパネルＤＩＳＰ上のＰ１地点からＰ２地点までの軌跡に光を照射する光照射アクションを取ることによって、ユーザはＰ１地点からＰ２地点までドラッグするドラッグタイプの光基盤入力をすることができる。
【０３４８】
マルチコントローラＭＣＴＲは、センシングデータに基づいて、Ｔｓ１時点からＴｅ１時点までの検出持続時間（ＣＳＴ１）の間、Ｐ１地点からＰ２地点までの軌跡上の地点を光照射座標として持続的に検出することによって、ドラッグタイプの第１光基盤入力ＰＩＮ１を認識する。
【０３４９】
本発明の実施形態に従うディスプレイ装置は、前述したワンクリックタイプ、ダブルクリックタイプ、ホールディングタッチタイプ、及びドラッグタイプの光基盤入力方式だけでなく、これらを変形または組合せて、マルチタッチタイプの光基盤入力、マルチドラッグタイプの光基盤入力などのより多様な光基盤入力環境を提供することができる。
【０３５０】
前述した本発明の実施形態によれば、１つのタッチブロックに配置された共通電極ＣＯＭと連結されたリードアウトラインＲＯＬを通じてフォトトランジスタＰＨＴの出力信号（Ｖｓ）を検出することによって、共用化されたリードアウトラインＲＯＬを用いてタッチセンシングとフォトセンシングを遂行することができるようにする。
【０３５１】
また、１つのタッチブロックに配置されたフォトトランジスタＰＨＴが１つのリードアウトラインＲＯＬと電気的に連結されるようにすることによって、リードアウトラインＲＯＬを通じて検出される出力信号（Ｖｓ）のサイズを増加させてフォトセンシングの性能を改善することができるようにする。
【０３５２】
また、１つのタッチブロックに配置されたフォトトランジスタＰＨＴが共通電極ＣＯＭと連結される方式により１つのリードアウトラインＲＯＬに電気的に連結されるようにすることによって、非開口部の増加を最小化し、フォトトランジスタＰＨＴとリードアウトラインＲＯＬとの間に電気的な連結がなされることができるようにする。
【０３５３】
また、ディスプレイパネルＤＩＳＰが映像を表示する方向によって、フォトトランジスタＰＨＴのアクティブ層ＰＡＣＴの位置を異なるように構成することによって、ディスプレイパネルＤＩＳＰがフォトトランジスタＰＨＴが配置された基板の背面に映像を表示する場合にもフォトセンシングの性能を向上させることができるようにする。
【０３５４】
以上の説明は、本発明の技術思想を例示的に説明したことに過ぎないものであって、本発明が属する技術分野で通常の知識を有する者であれば、本発明の本質的な特性から外れない範囲で多様な修正及び変形が可能である。したがって、本発明に開示された実施形態は本発明の技術思想を限定するためのものではなく、説明するためのものであり、このような実施形態により本発明の技術思想の範囲が限定されるのではない。本発明の保護範囲は請求範囲により解釈されなければならず、それと同等な範囲内にある全ての技術思想は本発明の権利範囲に含まれるものと解釈されるべきである。
【図１】
2020109633.tif 000003
【図２】
2020109633.tif 000004
【図３】
2020109633.tif 000005
【図４】
2020109633.tif 000006
【図５】
2020109633.tif 000007
【図６】
2020109633.tif 000008
【図７】
2020109633.tif 000009
【図８】
2020109633.tif 000010
【図９】
2020109633.tif 000011
【図１０】
2020109633.tif 000012
【図１１】
2020109633.tif 000013
【図１２ａ】
2020109633.tif 000014
【図１２ｂ】
2020109633.tif 000015
【図１３】
2020109633.tif 000016
【図１４】
2020109633.tif 000017
【図１５】
2020109633.tif 000018
【図１６】
2020109633.tif 000019
【図１７】
2020109633.tif 000020
【図１８】
2020109633.tif 000021
【図１９】
2020109633.tif 000022
【図２０】
2020109633.tif 000023
【図２１】
2020109633.tif 000024
【図２２】
2020109633.tif 000025
【図２３】
2020109633.tif 000026
【図２４】
2020109633.tif 000027